(57)【要約】【課題】植物栽培用の空調システムに関し、設置作業の容易化を図る。【解決手段】植物栽培用の空調システム（10）は、空気調和装置（11）と、ケース（12a,12b,12c,12d）を少なくとも１つ有するケースユニット（12）とを備えている。ケース（12a,12b,12c,12d）を、植物（30）の培地を収容するための内側ケース部（21）と、該内側ケース部（21）を覆うと共に上部に該内側ケース部（21）の培地に植えられた複数の植物（30）の生長点がそれぞれ挿通される複数の挿通穴（24a）が形成された外側ケース部（22）とを有する内外二重構造のケースに構成する。外側ケース部（22）と内側ケース部（21）との間の内部空間（S1）の少なくとも培地上方の上方空間（S11）に、空気調和装置（11）において加熱又は冷却された空気を流通させて挿通穴（24a）に導く空気通路（100）を形成する。【選択図】図１
2012228241.tif 000002
【特許請求の範囲】
【請求項１】
空気調和装置（11）を備えた植物栽培用の空調システムであって、
植物（30）の培地を収容するための内側ケース部（21）と、上記内側ケース部（21）を覆うと共に上部に該内側ケース部（21）の培地に植えられた複数の植物（30）の生長点がそれぞれ挿通される複数の挿通穴（24a）が形成された外側ケース部（22）とを有し、該外側ケース部（22）と上記内側ケース部（21）との間の内部空間（S1）の少なくとも上記培地上方の上方空間（S11）に上記空気調和装置（11）において加熱又は冷却された調和空気を流通させて上記挿通穴（24a）に導く空気通路（100）が形成されたケース（12a,12b,12c,12d）を少なくとも１つ有するケースユニット（12）を備えている
ことを特徴とする植物栽培用の空調システム。
【請求項２】
請求項１において、
上記内部空間（S1）は、上記上方空間（S11）と連通する上記内側ケース部（21）の側方の側方空間（S12）と、該側方空間（S12）に連通して上記調和空気が導入される上記内側ケース部（21）の下方の下方空間（S13）とをさらに有し、
上記空気通路（100）は、上記内部空間（S1）の上記下方空間（S13）から上記上方空間（S11）に亘って形成されている
ことを特徴とする植物栽培用の空調システム。
【請求項３】
請求項１において、
上記内部空間（S1）は、上記内側ケース部（21）の側方の側方空間（S12）と、該側方空間（S12）に連通する上記内側ケース部（21）の下方の下方空間（S13）とをさらに有し、
上記ケース（12a,12b,12c,12d）は、上記上方空間（S11）と上記側方空間（S12）との間を仕切る仕切部材（27）をさらに有し、
上記側方空間（S12）と上記下方空間（S13）とによって構成される空間には、上記空気通路（100）と異なる流体が流れる流体通路（101）が形成されている
ことを特徴とする植物栽培用の空調システム。
【請求項４】
請求項２において、
上記内側ケース部（21）及び外側ケース部（22）は共に平面視において略長方形形状に形成され、
上記側方空間（S12）は、上記内側ケース部（21）の幅方向の両側方において長手方向に延びる第１側方空間（S12a）と第２側方空間（S12b）とによって構成され、
上記ケース（12a,12b,12c,12d）には、上記下方空間（S13）を幅方向に第１下方空間（S13a）と第２下方空間（S13b）とに仕切ると共に、上記第１下方空間（S13a）の空気が上記第１側方空間（S12a）を介して上記上方空間（S11）に導かれ且つ上記第２下方空間（S13b）の空気が上記第２側方空間（S12b）を介して上記上方空間（S11）に導かれるように上記空気通路（100）を形成する仕切部材（25）が設けられ、
上記ケースユニット（12）は、上記第１下方空間（S13a）が水平方向且つ長手方向に延びる上記調和空気の折返し通路（50）の往路（51）の少なくとも一部を構成し、上記第２下方空間（S13b）が上記折返し通路（50）の復路（52）の少なくとも一部を構成するように構成されている
ことを特徴とする植物栽培用の空調システム。
【請求項５】
請求項２において、
上記内側ケース部（21）及び外側ケース部（22）は共に平面視において略長方形形状に形成され、
上記側方空間（S12）は、上記内側ケース部（21）の幅方向の両側方において長手方向に延びるように形成され、
上記ケース（12a,12b,12c,12d）には、上記下方空間（S13）に、上記ケースユニット（12）の水平方向且つ長手方向に延びる上記調和空気の折返し通路（50）の少なくとも一部を形成すると共に、該折返し通路（50）の往路（51）及び復路（52）を流れる空気が長手方向において交互に上記側方空間（S12）を介して上記上方空間（S11）に導かれるように上記空気通路（100）を形成する通路形成部材（26）が設けられている
ことを特徴とする植物栽培用の空調システム。
【請求項６】
請求項２において、
上記内側ケース部（21）及び外側ケース部（22）は共に平面視において一方に長く形成され、
上記側方空間（S12）は、上記内側ケース部（21）の幅方向の両側方において長手方向に延びるように形成され、
上記下方空間（S13）には、上記ケースユニット（12）の長手方向に延びて該長手方向の一端部から導入された上記調和空気を長手方向に流通させる下方空気通路（90）の少なくとも一部を区画すると共に、該下方空気通路（90）の上記調和空気を上記下方空間（S13）に吹き出す複数の吹出口（65）が長手方向に間隔を空けて形成された通路区画部材（60）が設けられている
ことを特徴とする植物栽培用の空調システム。
【請求項７】
請求項６において、
上記通路区画部材（60）は、上記複数の吹出口（65）の開口面積が、上記下方空気通路（90）の長手方向において上記調和空気が導入される導入側端部に向かうほど、大きくなるように構成されている
ことを特徴とする植物栽培用の空調システム。
【請求項８】
請求項６において、
上記通路区画部材（60）は、上記複数の吹出口（65）の間隔が、上記下方空気通路（90）の長手方向において上記調和空気が導入される導入側端部に向かうほど、短くなるように構成されている
ことを特徴とする植物栽培用の空調システム。
【請求項９】
請求項６において、
上記通路区画部材（60）は、上記下方空気通路（90）の通路断面積が、長手方向において上記調和空気が導入される導入側端部に向かうほど、大きくなるように構成されている
ことを特徴とする植物栽培用の空調システム。
【請求項１０】
請求項６乃至９のいずれか１つにおいて、
上記通路区画部材（60）は、上記ケースユニット（12）を長手方向に貫くダクト部材によって構成されている
ことを特徴とする植物栽培用の空調システム。
【請求項１１】
請求項１乃至１０のいずれか１つにおいて、
上記外側ケース部（22）は、上面に開口が形成された箱状のケース本体（23）と、上記挿通穴（24a）が形成されて上記開口を覆うフィルム部材（24）とによって構成されている
ことを特徴とする植物栽培用の空調システム。
【請求項１２】
請求項１乃至１１のいずれか１つにおいて、
上記ケースユニット（12）は、上記ケース（12a,12b,12c,12d）を複数有し、
上記複数のケース（12a,12b,12c,12d）は、一列に配列されて相隣る上記ケース（12a,12b）（12b,12c）（12c,12d）の上記空気通路（100）どうしが連通するように連結されている
ことを特徴とする植物栽培用の空調システム。
【請求項１３】
請求項１乃至１２において、
上記ケース（12a,12b,12c,12d）は、上記内側ケース部（21）の内部の排水を上記外側ケース部（22）の外部へ導く排水管（41）を有している
ことを特徴とする植物栽培用の空調システム。
【請求項１４】
請求項１２において、
上記各内側ケース部（21）の底部にはそれぞれ排水口（42）が形成され、
上記ケースユニット（12）には、長手方向に延びて上記各排水口（42）から流出した排水を長手方向の一端部に導く排水路（43）が形成されている
ことを特徴とする植物栽培用の空調システム。
【発明の詳細な説明】
【技術分野】
【０００１】
本発明は、空調システムに関し、特に、植物の生長点付近を局部的に温調する植物栽培用の空調システムに関するものである。
【背景技術】
【０００２】
従来より、株元に生長点を有するイチゴ等の植物の生長点付近に、空気調和装置において加熱又は冷却された空気を集中的に送り、生長点を局部的に加熱又は冷却することで花芽分化や果実の形成を促進する空調システムが知られている（下記の特許文献１を参照）。特許文献１の空調システムは、空気調和装置と、イチゴの苗が植えられた鉢を設置面よりも上方において支持する高設ベンチと、各苗の生長点（クラウン部）が挿通される挿通穴が形成されて鉢を覆うフィルム部材と、該フィルム部材の内部空間に空気調和装置において加熱又は冷却された空気を導入するダクトとを備えている。上記空調システムでは、ダクトを介してフィルム部材の内部空間に導入された空気が必ずイチゴの苗の生長点付近を通って外部へ吹き出されるように構成することで、イチゴの苗の生長点を局部的に加熱又は冷却することとしている。
【先行技術文献】
【特許文献】
【０００３】
【特許文献１】特開２０１０−２２７０５３号公報
【発明の概要】
【発明が解決しようとする課題】
【０００４】
しかしながら、上記空調システムでは、フィルム部材を設置する際に、内部空間の密閉性を確保しつつ内部空間にダクトの吹出口から挿通穴までの空気通路が形成されるようにフィルム部材を設置しなければならない。また、フィルム部材の挿通穴を通過する空気の風量が所望の風量になるように空気通路を形成するためには、フィルム部材を設置する際に、細かな調整作業が必要となる。以上の点より、上記空調システムでは設置作業が煩雑になるという問題があった。
【０００５】
本発明は、斯かる点に鑑みてなされたものであり、その目的とするところは、植物栽培用の空調システムに関し、設置作業の容易化を図ることにある。
【課題を解決するための手段】
【０００６】
第１の発明は、空気調和装置（11）を備えた植物栽培用の空調システムであって、植物（30）の培地を収容するための内側ケース部（21）と、上記内側ケース部（21）を覆うと共に上部に該内側ケース部（21）の培地に植えられた複数の植物（30）の生長点がそれぞれ挿通される複数の挿通穴（24a）が形成された外側ケース部（22）とを有し、該外側ケース部（22）と上記内側ケース部（21）との間の内部空間（S1）の少なくとも上記培地上方の上方空間（S11）に上記空気調和装置（11）において加熱又は冷却された調和空気を流通させて上記挿通穴（24a）に導く空気通路（100）が形成されたケース（12a,12b,12c,12d）を少なくとも１つ有するケースユニット（12）を備えている。
【０００７】
第１の発明では、内側ケース部（21）と外側ケース部（22）とを有して内部空間（S1）の少なくとも培地上方の上方空間（S11）に空気調和装置（11）において加熱又は冷却された調和空気を流通させて挿通穴（24a）へ導く空気通路（100）が予め形成された内外二重構造のケース（12a,12b,12c,12d）を少なくとも１つ有するケースユニット（12）を備えている。そのため、空気調和装置（11）の運転を開始すると、調和空気が外側ケース部（22）と内側ケース部（21）との間の上方空間（S11）に形成された空気通路（100）を流れて挿通穴（24a）から外側ケース部（22）の外部へ吹き出される。ここで、挿通穴（24a）には、内側ケース部（21）の培地に植えられた植物（30）（以下、単に「栽培用植物（30）」と称する）の生長点（31）が挿通されるため、調和空気は必ず栽培用植物（30）の生長点（31）の周辺を通ってケース（12a,12b,12c,12d）の外部へ吹き出されることとなる。その結果、栽培用植物（30）の生長点（31）が調和空気によって加熱又は冷却される。
【０００８】
第２の発明は、第１の発明において、上記内部空間（S1）は、上記上方空間（S11）と連通する上記内側ケース部（21）の側方の側方空間（S12）と、該側方空間（S12）に連通して上記空気調和装置（11）において加熱又は冷却された空気が導入される上記内側ケース部（21）の下方の下方空間（S13）とをさらに有し、上記空気通路（100）は、上記内部空間（S1）の上記下方空間（S13）から上記上方空間（S11）に亘って形成されている。
【０００９】
第２の発明では、空気通路（100）が内部空間（S1）の下方空間（S13）から上方空間（S11）に亘って形成されているため、空気調和装置（11）から下方空間（S13）に導入された調和空気は、側方空間（S12）を通過して上方空間（S11）に至り、挿通穴（24a）から外部へ吹き出される。つまり、空気調和装置（11）から吹き出された調和空気は、まず内側ケース部（21）に収容される培地の下方に導入され、培地の側方を通過して培地の上方に至り、挿通穴（24a）から吹き出される。このように内側ケース部（21）に収容された培地を取り囲むように空気通路（100）が形成されているため、栽培用植物（30）の生長点（31）だけでなく培地も調和空気によって加熱又は冷却される。
【００１０】
第３の発明は、第１の発明において、上記内部空間（S1）は、上記内側ケース部（21）の側方の側方空間（S12）と、該側方空間（S12）に連通する上記内側ケース部（21）の下方の下方空間（S13）とをさらに有し、上記ケース（12a,12b,12c,12d）は、上記上方空間（S11）と上記側方空間（S12）との間を仕切る仕切部材（27）をさらに有し、上記側方空間（S12）と上記下方空間（S13）とによって構成される空間には、上記空気通路（100）と異なる流体が流れる流体通路（101）が形成されている。
【００１１】
第３の発明では、上方空間（S11）に空気通路（100）が形成されているため、空気調和装置（11）の調和空気は、上方空間（S11）に導入されて挿通穴（24a）から外部へ吹き出される。一方、側方空間（S12）と下方空間（S13）とからなる空間に流体通路（101）が形成されているため、空気通路（100）と異なる流体が側方空間（S12）及び下方空間（S13）を流れることとなる。その結果、上方空間（S11）では調和空気によって栽培用植物（30）の生長点（31）が加熱又は冷却され、側方空間（S12）と下方空間（S13）とからなる空間では調和空気とは異なる流体によって内側ケース部（21）に収容された培地が加熱又は冷却される。
【００１２】
第４の発明は、第２の発明において、上記内側ケース部（21）及び外側ケース部（22）は共に平面視において略長方形形状に形成され、上記側方空間（S12）は、上記内側ケース部（21）の幅方向の両側方において長手方向に延びる第１側方空間（S12a）と第２側方空間（S12b）とによって構成され、上記ケース（12a,12b,12c,12d）には、上記下方空間（S13）を幅方向に第１下方空間（S13a）と第２下方空間（S13b）とに仕切ると共に、上記第１下方空間（S13a）の空気が上記第１側方空間（S12a）を介して上記上方空間（S11）に導かれ且つ上記第２下方空間（S13b）の空気が上記第２側方空間（S12b）を介して上記上方空間（S11）に導かれるように上記空気通路（100）を形成する仕切部材（25）が設けられ、上記ケースユニット（12）は、上記第１下方空間（S13a）が水平方向且つ長手方向に延びる上記調和空気の折返し通路（50）の往路（51）の少なくとも一部を構成し、上記第２下方空間（S13b）が上記折返し通路（50）の復路（52）の少なくとも一部を構成するように構成されている。
【００１３】
第４の発明では、ケース（12a,12b,12c,12d）において、下方空間（S13）は仕切部材（25）によって幅方向に２つに仕切られ、一方側の第１下方空間（S13a）には折返し通路（50）の往路（51）の調和空気が流れて、他方側の第２下方空間（S13b）には折返し通路（50）の復路（52）の調和空気が流れる。第１下方空間（S13a）を流れる往路（51）の調和空気は、第１側方空間（S12a）を介して上方空間（S11）に供給され、第２下方空間（S13b）を流れる復路（52）の調和空気は第２側方空間（S12b）を介して上方空間（S11）に供給され、該上方空間（S11）において往路（51）と復路（52）との調和空気が混ざり合うこととなる。
【００１４】
ここで、例えば、調和空気が加熱用の高温の空気である場合、折返し通路（50）の空気は下流側ほど温度が低くなる。そのため、第１下方空間（S13a）から第１側方空間（S12a）に流入した調和空気は長手方向の一端から他端に向かうにつれて温度が低くなる一方、第２下方空間（S13b）から第２側方空間（S12b）に流入した調和空気は長手方向の一端から他端に向かうにつれて温度が高くなる。つまり、第１側方空間（S12a）と第２側方空間（S12b）とにおける調和空気の長手方向の温度勾配は逆向きとなる。このような長手方向において逆向きの温度勾配の第１側方空間（S12a）の調和空気と第２側方空間（S12b）の調和空気とが上方空間（S11）において混ざり合うことで、上方空間（S11）の調和空気の長手方向における温度差が生じなくなる。つまり、長手方向に複数形成された挿通穴（24a）を通過する調和空気の温度が略等しくなる。
【００１５】
第５の発明は、第２の発明において、上記内側ケース部（21）及び外側ケース部（22）は共に平面視において略長方形形状に形成され、上記側方空間（S12）は、上記内側ケース部（21）の幅方向の両側方において長手方向に延びるように形成され、上記ケース（12a,12b,12c,12d）には、上記下方空間（S13）に、上記ケースユニット（12）の水平方向且つ長手方向に延びる上記調和空気の折返し通路（50）の少なくとも一部を形成すると共に、該折返し通路（50）の往路（51）及び復路（52）を流れる空気が長手方向において交互に上記側方空間（S12）を介して上記上方空間（S11）に導かれるように上記空気通路（100）を形成する通路形成部材（26）が設けられている。
【００１６】
第５の発明では、ケース（12a,12b,12c,12d）では、下方空間（S13）に形成された折返し通路（50）の往路（51）の調和空気と復路（52）の調和空気とが長手方向において交互に側方空間（S12）を介して上方空間（S11）に導かれる。そして、長手方向に交互に側方空間（S12）に流入した折返し通路（50）の往路（51）の調和空気と復路（52）の調和空気とは、上方空間（S11）において混ざり合う。
【００１７】
ここで、例えば、調和空気が加熱用の高温の空気である場合、折返し通路（50）の調和空気は下流側ほど温度が低くなる。つまり、復路（52）の調和空気は往路（51）の調和空気よりも温度が低くなる。一方、調和空気が冷却用の低温の空気である場合、折返し通路（50）の調和空気は下流側ほど温度が高くなる。つまり、復路（52）の調和空気は往路（51）の調和空気よりも温度が高くなる。そのため、上述のように上方空間（S11）に長手方向に交互に往路（51）の調和空気と復路（52）の調和空気とが供給されることにより、上方空間（S11）には、長手方向に交互に高温の空気と低温の空気とが供給されることとなる。そして、このような温度の異なる往路（51）の調和空気と復路（52）の調和空気とが上方空間（S11）において混ざり合うことで、上方空間（S11）の調和空気の長手方向における温度差が生じなくなる。つまり、長手方向に複数形成された挿通穴（24a）を通過する調和空気の温度が略等しくなる。
【００１８】
第６の発明は、第２の発明において、上記内側ケース部（21）及び外側ケース部（22）は共に平面視において一方に長く形成され、上記側方空間（S12）は、上記内側ケース部（21）の幅方向の両側方において長手方向に延びるように形成され、上記下方空間（S13）には、上記ケースユニット（12）の長手方向に延びて該長手方向の一端部から導入された上記調和空気を長手方向に流通させる下方空気通路（90）の少なくとも一部を区画すると共に、該下方空気通路（90）の上記調和空気を上記下方空間（S13）に吹き出す複数の吹出口（65）が長手方向に間隔を空けて形成された通路区画部材（60）が設けられている。
【００１９】
ところで、上述のように、内側ケース部（21）及び外側ケース部（22）が共に平面視において一方に長く形成されている場合、下方空間（S13）の長手方向の一端側から調和空気が導入されると、他端側まで調和空気が到達し難く、下方空間（S13）の長手方向の他端側に対応する位置に植えられた栽培用植物（30）の生長点（31）に供給される調和空気の量が不足するおそれがある。
【００２０】
これに対し、第６の発明では、下方空間（S13）に、上記通路区画部材（60）を設けてケースユニット（12）の長手方向に延びて該長手方向の一端部から導入された上記調和空気を長手方向に流通させる下方空気通路（90）を形成している。そのため、調和空気は、下方空気通路（90）に導入されることにより、ケースユニット（12）の長手方向の奥側まで調和空気が到達すると共に、長手方向に配列された複数の吹出口（65）を介して下方空気通路（90）から下方空間（S13）に満遍なく調和空気が吹き出されることとなる。下方空間（S13）の長手方向に満遍なく吹き出された調和空気は、側方空間（S12）及び上方空間（S11）を通過して、複数の栽培用植物（30）の生長点（31）付近に満遍なく供給される。
【００２１】
第７の発明は、第６の発明において、上記通路区画部材（60）は、上記複数の吹出口（65）の開口面積が、上記下方空気通路（90）の長手方向において上記調和空気が導入される導入側端部に向かうほど、大きくなるように構成されている。
【００２２】
第８の発明は、第６の発明において、上記通路区画部材（60）は、上記複数の吹出口（65）の間隔が、上記下方空気通路（90）の長手方向において上記調和空気が導入される導入側端部に向かうほど、短くなるように構成されている。
【００２３】
第９の発明は、第６の発明において、上記通路区画部材（60）は、上記下方空気通路（90）の通路断面積が、長手方向において上記調和空気が導入される導入側端部に向かうほど、大きくなるように構成されている。
【００２４】
ところで、上述のような下方空気通路（90）では、下流側に向かうほど、調和空気による動圧が低下する一方、静圧が増大する。言い換えると、下方空気通路（90）では、長手方向の導入側端部に向かうほど、動圧が高くなる一方、静圧が低くなる。そのため、下方空気通路（90）の導入側端部付近の吹出口（65）では、下流側端部付近の吹出口（65）に比べて調和空気が吹き出され難くなる。その結果、下方空間（S13）に吹き出される調和空気の吹き出し量は、下方空気通路（90）の下流側端部において多くなる一方、導入側端部に向かうほど少なくなる。このように下方空間（S13）に吹き出される調和空気の吹き出し量に斑が生じると、下方空間（S13）から側方空間（S12）及び上方空間（S11）を介して複数の栽培用植物（30）の生長点（31）付近に供給される調和空気の風量にも斑が生じてしまう。
【００２５】
これに対し、第７の発明では、複数の吹出口（65）の開口面積が下方空気通路（90）の長手方向において導入側端部に向かうほど大きくなるように通路区画部材（60）が構成されている。そのため、下方空気通路（90）の長手方向において導入側端部に向かうほど静圧が低くなるが、静圧が低くなるに従って吹出口（65）の開口面積が大きくなる。その結果、各吹出口（65）から吹き出される調和空気の吹き出し量が等しくなり、下方空気通路（90）の長手方向に亘って調和空気の吹き出し量が等しくなる。
【００２６】
また、第８の発明では、複数の吹出口（65）の間隔が下方空気通路（90）の長手方向において導入側端部に向かうほど短くなるように通路区画部材（60）が構成されている。そのため、下方空気通路（90）の長手方向において導入側端部に向かうほど静圧が低くなるが、静圧が低くなるに従って吹出口（65）の間隔が短くなって単位長さ当たりに形成される吹出口（65）の個数が増大する。その結果、下方空気通路（90）の長手方向に亘って調和空気の吹き出し量が等しくなる。
【００２７】
また、第９の発明では、下方空気通路（90）の通路断面積が長手方向において導入側端部に向かうほど大きくなるように通路区画部材（60）が構成されている。つまり、下方空気通路（90）の通路断面積は、長手方向において下流側端部に向かうほど小さくなる。そのため、下方空気通路（90）の通路断面積が長手方向に亘って一様であると、調和空気の流速が徐々に低下するところ、上記構成によれば、調和空気の流速が低下せず、静圧も増大しない。つまり、下方空気通路（90）の長手方向において静圧が一様になる。その結果、各吹出口（65）から吹き出される調和空気の吹き出し量が等しくなり、下方空気通路（90）の長手方向に亘って調和空気の吹き出し量が等しくなる。
【００２８】
第１０の発明は、第６乃至第９のいずれか１つにおいて、上記通路区画部材（60）は、上記ケースユニット（12）を長手方向に貫くダクト部材によって構成されている。
【００２９】
第１０の発明では、ケースユニット（12）を長手方向に貫くダクト部材によって通路区画部材（60）が構成されている。
【００３０】
第１１の発明は、第１乃至第１０のいずれか１つの発明において、上記外側ケース部（22）は、上面に開口が形成された箱状のケース本体（23）と、上記挿通穴（24a）が形成されて上記開口を覆うフィルム部材（24）とによって構成されている。
【００３１】
第１１の発明では、外側ケース部（22）がケース本体（23）と挿通穴（24a）が形成されたフィルム部材（24）とによって容易に構成される。
【００３２】
第１２の発明は、第１乃至第１１のいずれか１つの発明において、上記ケースユニット（12）は、上記ケース（12a,12b,12c,12d）を複数有し、上記複数のケース（12a,12b,12c,12d）は、一列に配列されて相隣る上記ケース（12a,12b）（12b,12c）（12c,12d）の上記空気通路（100）どうしが連通するように連結されている。
【００３３】
第１２の発明では、複数の内外二重構造のケース（12a,12b,12c,12d）が長手方向に配列され、相隣るケース（12a,12b）（12b,12c）（12c,12d）の空気通路（100）どうしが連通するように連結されている。そのため、空気調和装置（11）から吹き出された調和空気をケースユニット（12）の一端側のケース（12a）の空気通路（100）に導入することにより、他のケース（12b,12c,12d）の空気通路（100）にも調和空気が導入される。
【００３４】
第１３の発明は、第１乃至第１２のいずれか１つの発明において、上記ケース（12a,12b,12c,12d）は、上記内側ケース部（21）の内部の排水を上記外側ケース部（22）の外部へ導く排水管（41）を有している。
【００３５】
第１３の発明では、内側ケース部（21）に収容された培地の排水は、排水管（41）を介してケース（12a,12b,12c,12d）外部へ排出される。
【００３６】
第１４の発明は、第１２の発明において、上記各内側ケース部（21）の底部にはそれぞれ排水口（42）が形成され、上記ケースユニット（12）には、長手方向に延びて上記各排水口（42）から流出した排水を長手方向の一端部に導く排水路（43）が形成されている。
【００３７】
第１４の発明では、複数のケース（12a,12b,12c,12d）のそれぞれの内側ケース部（21）に収容された培地の排水は、排水路（43）を介してケースユニット（12）の長手方向の一端部に導かれる。つまり、複数のケース（12a,12b,12c,12d）の排水が、排水路（43）によって一箇所に集められることとなる。
【発明の効果】
【００３８】
第１の発明によれば、空調システムにおいて、内側ケース部（21）と外側ケース部（22）とを有して内部空間（S1）の少なくとも培地上方の上方空間（S11）に調和空気を流通させて挿通穴（24a）へ導く空気通路（100）が予め形成された内外二重構造のケースを用いることとした。そのため、ケース（12a,12b,12c,12d）を設置するだけで設置現場において調和空気を挿通穴（24a）へ導く空気通路（100）を形成する必要がなく、また、挿通穴（24a）における空気の風量が所望の風量となるように細かな調整作業を行う必要もない。従って、従来の空調システムに比べて設置作業を各段に容易化することができる。また、ケース形成時に空気通路（100）の密閉性を確保することができるため、調和空気による栽培用植物（30）の生長点（31）の加熱又は冷却を確実に行うことができる。さらに、空気通路（100）が予め形成された内外二重構造のケースを用いることとしたため、床上や棚上等の様々な設置箇所に設置することが可能となる。
【００３９】
また、第２の発明によれば、内側ケース部（21）に収容された培地の下方から上方に亘って培地を取り囲むように空気通路（100）を形成したため、栽培用植物（30）の生長点（31）だけでなく培地をも調和空気によって加熱又は冷却することができる。
【００４０】
また、第３の発明によれば、内部空間（S1）の上方空間（S11）と側方空間（S12）との間を仕切部材（27）によって上下に仕切り、上側の空間（上方空間（S11））に空気通路（100）を形成する一方、下側の空間（側方空間（S12）及び下方空間（S13））に空気通路（100）と異なる流体が流れる流体通路（101）を形成したため、栽培用植物（30）の生長点（31）と培地とを異なる温度の流体によってそれぞれ加熱又は冷却することができる。つまり、栽培用植物（30）の生長点（31）と培地とをそれぞれ適正な温度で加熱又は冷却することが可能となる。
【００４１】
また、第４の発明によれば、ケースユニット（12）に形成された折返し通路（50）の往路（51）の調和空気と復路（52）の調和空気とが、それぞれ内側ケース部（21）の別個の側方空間（S12a,S12b）を通過して上方空間（S11）で混ざり合うように構成したため、上方空間（S11）の調和空気の長手方向における温度差が生じないようにすることができる。従って、複数の栽培用植物（30）の生長点（31）を略等しい温度の空気によって加熱又は冷却することができる。
【００４２】
また、第５の発明によれば、ケース（12a,12b,12c,12d）に折返し通路（50）の少なくとも一部を形成すると共に、折返し通路（50）の往路（51）及び復路（52）を流れる空気が長手方向において交互に側方空間（S12）を介して上方空間（S11）に導かれるように構成したため、上方空間（S11）の調和空気の長手方向における温度差が生じないようにすることができる。従って、複数の栽培用植物（30）の生長点（31）を略等しい温度の空気によって加熱又は冷却することができる。
【００４３】
また、第６の発明によれば、下方空間（S13）に、ケースユニット（12）の長手方向に延びて調和空気を長手方向に流通させる下方空気通路（90）の少なくとも一部を区画すると共に、複数の吹出口（65）が長手方向に間隔を空けて形成された通路区画部材（60）を設けることとした。これにより、通路区画部材（60）によって区画される下方空気通路（90）を介して調和空気を下方空間（S13）に満遍なく供給することができる。そのため、下方空間（S13）から内側ケース部（21）の幅方向の両側方に形成された側方空間（S12）及び上方空間（S11）を介して複数の栽培用植物（30）の生長点（31）付近に満遍なく調和空気を供給することができる。従って、複数の栽培用植物（30）の生長点（31）を等しく加熱又は冷却することができる。
【００４４】
また、第７の発明によれば、複数の吹出口（65）の開口面積が下方空気通路（90）の長手方向において導入側端部に向かうほど大きくなるように通路区画部材（60）を構成した。つまり、下方空気通路（90）において静圧が低くなる調和空気の導入側に設けられた吹出口（65）ほど開口面積が大きくなるように通路区画部材（60）を構成することとした。これにより、各吹出口（65）から吹き出される調和空気の吹き出し量を等しくすることができ、下方空気通路（90）から下方空間（S13）へ吹き出される調和空気の吹き出し量を、下方空気通路（90）の長手方向に亘って等しくすることができる。そのため、下方空間（S13）から内側ケース部（21）の幅方向の両側方に形成された側方空間（S12）を介して上方空間（S11）に供給される調和空気の風量も長手方向に亘って等しくすることができる。その結果、複数の栽培用植物（30）の生長点（31）付近に略等量の調和空気を供給することができるため、複数の栽培用植物（30）の生長点（31）を等しく加熱又は冷却することができる。
【００４５】
また、第８の発明によれば、複数の吹出口（65）の間隔が下方空気通路（90）の長手方向において導入側端部に向かうほど短くなるように通路区画部材（60）を構成した。つまり、下方空気通路（90）において静圧が低くなる調和空気の導入側ほど吹出口（65）が多く形成されるように通路区画部材（60）を構成することとした。従って、下方空間（S13）へ吹き出される調和空気の吹き出し量を下方空気通路（90）の長手方向に亘って等しくすることができ、ひいては、複数の栽培用植物（30）の生長点（31）を等しく加熱又は冷却することができる。
【００４６】
また、第９の発明によれば、下方空気通路（90）の通路断面積が長手方向において導入側端部に向かうほど大きくなるように通路区画部材（60）を構成した。つまり、下方空気通路（90）の通路断面積は、長手方向において下流側端部に向かうほど小さくなるように通路区画部材（60）を構成した。そのため、下方空気通路（90）の通路断面積が長手方向に亘って一様であると、調和空気の流速が徐々に低下するところ、上記構成によれば、調和空気の流速が低下せず、静圧も増大しない。つまり、下方空気通路（90）における調和空気による静圧を長手方向に亘って一様にすることができる。これにより、各吹出口（65）から吹き出される調和空気の吹き出し量を等しくすることができる。従って、下方空間（S13）へ吹き出される調和空気の吹き出し量を下方空気通路（90）の長手方向に亘って等しくすることができ、ひいては、複数の栽培用植物（30）の生長点（31）を等しく加熱又は冷却することができる。
【００４７】
また、第１０の発明によれば、通路区画部材（60）を容易に構成することができる。
【００４８】
また、第１１の発明によれば、挿通穴（24a）が形成された外側ケース部（22）を容易に構成することができる。
【００４９】
また、第１２の発明によれば、複数の内外二重構造のケース（12a,12b,12c,12d）を相隣るケース（12a,12b）（12b,12c）（12c,12d）の空気通路（100）どうしが連通するように連結することにより、空気調和装置１台で複数のケース（12a,12b,12c,12d）の空気通路（100）に調和空気を導入することができる。また、このように複数のケース（12a,12b,12c,12d）を連結するだけで、培地の長さを容易に変更することができる。
【００５０】
また、第１３の発明によれば、容易な構成により、内側ケース部（21）に収容された培地の排水を行うことができる。
【００５１】
また、第１４の発明によれば、複数のケース（12a,12b,12c,12d）の排水を１箇所において回収することができる。そのため、除菌等を行って排水を浄化することにより、培養液等に再利用することが可能となる。
【図面の簡単な説明】
【００５２】
【図１】図１は、実施形態１の空調システムの構成を模式的に示す図である。
【図２】図２は、図１のII−II断面図である。
【図３】図３は、図１の一部分を拡大して詳細に示す断面図である。
【図４】図４は、図２のIV−IV断面図である。
【図５】図５は、実施形態２の空調システムの構成を模式的に示す図である。
【図６】図６は、図５のVI−VI断面図である。
【図７】図７は、図５の一部分を拡大して詳細に示す断面図である。
【図８】図８は、図６のVIII−VIII断面図である。
【図９】図９は、実施形態３の空調システムの構成を模式的に示す図である。
【図１０】図１０は、図９のＸ−Ｘ断面図である。
【図１１】図１１は、図１０のＸＩ−ＸＩ断面図である。
【図１２】図１２は、実施形態４の空調システムの構成を模式的に示す図である。
【図１３】図１３は、図１２のＸIII−ＸIII断面図である。
【図１４】図１４は、図１２のＸIV−ＸIV断面図である。
【図１５】図１５は、図１３及び図１４のＸＶ−ＸＶ断面図である。
【図１６】図１６は、図１２の一部分を拡大して詳細に示す断面図である。
【図１７】図１７は、実施形態５の空調システムの構成を模式的に示す図である。
【図１８】図１８は、図１７のＸVIII−ＸVIII断面図である。
【図１９】図１９は、図１７の一部分を拡大して詳細に示す断面図である。
【図２０】図２０は、実施形態６の空調システムの構成を模式的に示す図である。
【図２１】図２１は、図２０のＸＸＩ−ＸＸＩ断面図である。
【図２２】図２２は、実施形態７の空調システムの構成を模式的に示す図である。
【図２３】図２３は、図２２のＸＸIII−ＸＸIII断面図である。
【図２４】図２４は、実施形態８の空調システムの構成を模式的に示す図である。
【図２５】図２５は、図２４のＸＸＶ−ＸＸＶ断面図である。
【図２６】図２６は、実施形態９の空調システムのケースの断面図である。
【図２７】図２７は、実施形態１０の空調システムのケース付近の断面図である。
【図２８】図２８は、実施形態１１の空調システムのケース付近の断面図である。
【図２９】図２９は、実施形態１２の空調システムのケース付近の断面図である。
【図３０】図３０は、実施形態１３の空調システムのケース付近の断面図である。
【図３１】図３１は、実施形態１４の空調システムの横断面図である。
【図３２】図３２は、実施形態１４のケースユニットの縦断面図である。
【図３３】図３３は、実施形態１５のケースユニットの縦断面図である。
【図３４】図３４は、実施形態１６のケースユニットの縦断面図である。
【図３５】図３５は、実施形態１７の空調システムの横断面図である。
【図３６】図３６は、実施形態１７のケースユニットの縦断面図である。
【発明を実施するための形態】
【００５３】
以下、本発明の実施形態を図面に基づいて詳細に説明する。
【００５４】
《発明の実施形態１》
−全体構成−
図１は、本発明の実施形態に係る空調システム（10）は、ビニルハウス（1）に設置されている。
【００５５】
上記空調システム（10）は、空気調和装置（11）と、第１〜第４ケース（12a〜12d）を有するケースユニット（12）とを備えている。
【００５６】
上記空気調和装置（11）は、ビニルハウス（1）の内外に跨って設置されている。該空気調和装置（11）の吸込口は、ビニルハウス（1）の内部において開口している。一方、空気調和装置（11）の吹出口には上記ダクト（16）の一端が接続され、該ダクト（16）の他端は、ケースユニット（12）の長手方向の一端部、具体的には空気調和装置（11）に最も近い第１ケース（12a）の後述する導入口（23a）に接続されている。これにより、空気調和装置（11）は、ビニルハウス（1）の内部の空気を吸い込み、加熱又は冷却した後、ダクト（16）を介して第１ケース（12a）内に加熱空気又は冷却空気を吹き出すように構成されている。
【００５７】
上記第１〜第４ケース（12a〜12d）は、長手方向に一列に配列され、空気調和装置（11）に最も近くに第１ケース（12a）が配置され、続いて第２ケース（12b）、第３ケース（12c）、第４ケース（12d）の順に一列に配列されている。第１〜第４ケース（12a〜12d）は、それぞれ植物の培地を収容するための内側ケース部（21）と、内側ケース部を覆う外側ケース部（22）とを有している。
【００５８】
図２〜図４に示すように、内側ケース部（21）は、樹脂によって上面が開口する筺状体に形成され、平面視において略長方形形状に形成されている。内側ケース部（21）の内部には、植物の培地が収容されている。実施形態１では、培地は土によって構成され、複数のイチゴの苗（30）が植えられている。
【００５９】
外側ケース部（22）は、ケース本体（23）とフィルム部材（24）とを有し、内側ケース部（21）を覆っている。外側ケース部（22）と内側ケース部（21）との間には、内部空間（S1）が形成されている。
【００６０】
ケース本体（23）は、樹脂によって上面に開口が形成された筺状体に形成されている。また、図２〜図４では図示を省略しているが、ケース本体（23）は内側ケース部（21）を支持する支持部を有している。ケース本体（23）は、平面視において内側ケース部（21）と相似形状の略長方形形状に形成されている。ケース本体（23）の長手方向の一端部には、空気調和装置（11）において加熱又は冷却された空気（以下、「調和空気」と称する。）を内部空間（S1）に導入するための導入口（23a）が形成され、長手方向の他端部には、内部空間（S1）の調和空気を隣接するケース（12b,12c,12d）に送るための導出口（23b）が形成されている。なお、実施形態１では、第４ケース（12d）には導出口（23b）が形成されていないが、第４ケース（12d）に導出口（23b）を形成すると共に閉塞部材によって閉塞することとしてもよい。
【００６１】
フィルム部材（24）は、実施形態１では、ビニルシートによって構成されている。該フィルム部材（24）は、ケース本体（23）の上面を覆っている。フィルム部材（24）の上面には、複数の挿通穴（24a）が形成されている。この複数の挿通穴（24a）は、内側ケース部（21）に収容された培地に植えられた複数のイチゴの苗（30）の根元に形成される生長点（クラウン部）（31）を挿通するために形成されており、複数のイチゴの苗（30）の位置に対応する位置に形成されている。なお、該挿通穴（24a）は、実施形態１では、直径５ｃｍ程度の丸穴形状に形成されている。また、フィルム部材（24）は、その端部（24b）がケース本体（23）の側面に固定されている。図示は省略するが、フィルム部材（24）の端部（24b）は、ケース本体（23）の外側面に形成された溝と固定部材との間に挟み込まれることによって、端部（24b）とケース本体（23）との間から内部の空気が漏れないように固定されている。
【００６２】
また、上記内部空間（S1）は、内側ケース部（21）の上方の上方空間（S11）と、内側ケース部（21）の側方の側方空間（S12）と、内側ケース部（21）の下方の下方空間（S13）とを有し、内側ケース部（21）の下方から上方に亘って形成されている。また、側方空間（S12）は、内側ケース部（21）の幅方向の両側方において長手方向に延びる第１側方空間（S12a）と第２側方空間（S12b）とによって構成されている。実施形態１では、上方空間（S11）と第１側方空間（S12a）及び第２側方空間（S12b）とがそれぞれ連通し、第１側方空間（S12a）及び第２側方空間（S12b）と下方空間（S13）とがそれぞれ連通している。また、上記導入口（23a）及び上記導出口（23b）は、下方空間（S13）において開口するように形成され、上記フィルム部材（24）の挿通穴（24a）は、上方空間（S11）において開口するように形成されている。
【００６３】
また、内部空間（S1）には、調和空気を流通させて挿通穴（24a）に導く空気通路（100）が形成されている。実施形態１では、空気通路（100）は、内部空間（S1）全体によって構成されている。つまり、空気通路（100）は、内部空間（S1）の下方空間（S13）から上方空間（S11）に亘って内側ケース部（21）に収容された培地を取り囲むように形成されている。このような構成により、導入口（23a）から各ケース（12a〜12d）の内部空間（S1）に導入された調和空気は下方空間（S13）を導出口（23b）に向かって長手方向に流れる一方、その一部は下方空間（S13）から第１側方空間（S12a）と第２側方空間（S12b）とを通過して上方空間（S11）に至り、挿通穴（24a）から吹き出される。
【００６４】
以上のような構成により、上記第１〜第４ケース（12a〜12d）は、それぞれ内側ケース部（21）と外側ケース部（22）とを備えた内外二重構造のケースに構成されている。また、各ケース（12a〜12d）の内部空間（S1）には、それぞれ調和空気を流通させて挿通穴（24a）に導く空気通路（100）が形成され、各ケース（12a〜12d）は、相隣るケース（12a,12b）（12b,12c）（12c,12d）の空気通路（100）どうしが連通するように連結されている。具体的には、相隣るケース（12a,12b）（12b,12c）（12c,12d）の導出口（23b）と導入口（23a）とがそれぞれ連結されている。
【００６５】
また、実施形態１では、上記ケースユニット（12）の第１〜第４ケース（12a〜12d）のそれぞれに内側ケース部（21）内の排水を外側ケース部（22）の外部へ導く排水管（41）が設けられている。排水管（41）は、上端が内側ケース部（21）の底板において開口する一方、下端が外側ケース部（22）を貫通して該外側ケース部（22）の底板よりも下方において下向きに開口している。図示は省略するが、内側ケース部（21）の底板は、排水管（41）の上端開口に排水が集まるように構成されている。
【００６６】
図１に示すように、上記ケースユニット（12）は、高設ベンチ（13）によって設置面よりも上方において支持されている。高設ベンチ（13）は、平行に配置された２本の水平パイプ（13a）と、この２本の水平パイプ（13a）を支持する複数の鉛直パイプ（13b）とによって構成されている。２本の水平パイプ（13a）は、水平方向に長く（例えば、３０ｍ程度）形成されている。一方、２本の鉛直パイプ（13b）は、高さが１００ｃｍ程度となるように形成されている。
【００６７】
また、２本の水平パイプ（13a）は、２０ｃｍ程度の間隔を空けて配置され、該２本の水平パイプ（13a）にはケースユニット（12）を構成する第１〜第４ケース（12a〜12d）が据え付けられている。
【００６８】
−各種動作−
上記空気調和装置（11）を稼働させると、ビニルハウス（1）内の空気が空気調和装置（11）内に吸い込まれ、内部において加熱又は冷却された後、ダクト（16）を介してケースユニット（12）の空気調和装置（11）に最も近い第１ケース（12a）の下方空間（S13）に導入される。
【００６９】
第１ケース（12a）の導入口（23a）から下方空間（S13）に導入された調和空気は長手方向に流れて導出口（23b）及び第２ケース（12b）の導入口（23a）を介して該第２ケース（12b）の下方空間（S13）に導入される。そして、第２ケース（12b）の下方空間（S13）に導入された調和空気は長手方向に流れて導出口（23b）及び第３ケース（12c）の導入口（23a）を介して該第３ケース（12c）の下方空間（S13）に導入される。そして、第３ケース（12c）の下方空間（S13）に導入された調和空気は長手方向に流れて導出口（23b）及び第４ケース（12d）の導入口（23a）を介して該第４ケース（12d）の下方空間（S13）に導入される。第４ケース（12d）から内部空間（S1）に導入された調和空気は下方空間（S13）を長手方向に流れる。
【００７０】
一方、第１〜第４ケース（12a〜12d）において、下方空間（S13）を長手方向に流れる調和空気の一部は、各内部空間（S1）に形成された空気通路（100）を流れて複数の挿通穴（24a）のそれぞれに導かれる。具体的には、下方空間（S13）を長手方向に流れる調和空気の一部は、下方空間（S13）から第１側方空間（S12a）及び第２側方空間（S12b）のそれぞれを通過して上方空間（S11）に至り、複数の挿通穴（24a）のそれぞれから吹き出される。
【００７１】
このように、調和空気が、内部空間（S1）の下方空間（S13）から上方空間（S11）に亘って内側ケース部（21）に収容された培地を取り囲むように形成された空気通路（100）を通過することにより、内側ケース部（21）内の培地が加熱又は冷却される。また、調和空気が、空気通路（100）を通過して複数の挿通穴（24a）のそれぞれからビニルハウス（1）内に吹き出されることにより、調和空気が該複数の挿通穴（24a）に挿通されたイチゴの苗（30）の生長点（クラウン部）（31）の周囲を必ず通過するため、該生長点（31）が調和空気によって加熱又は冷却される。
【００７２】
−実施形態１の効果−
以上より、本空調システム（10）によれば、内側ケース部（21）と外側ケース部（22）とを有して両ケース部（21,22）の間の内部空間（S1）の少なくとも培地上方の上方空間（S11）に調和空気を流通させて挿通穴（24a）へ導く空気通路（100）が予め形成された内外二重構造のケースを用いることとした。そのため、ケース（12a,12b,12c,12d）を設置するだけで設置現場において調和空気を挿通穴（24a）へ導く空気通路（100）を形成する必要がなく、また、挿通穴（24a）における空気の風量が所望の風量となるように細かな調整作業を行う必要もない。従って、従来の空調システムに比べて設置作業を各段に容易化することができる。また、ケース形成時に空気通路（100）の密閉性を確保することができるため、調和空気によるイチゴの苗（30）の生長点（31）の加熱又は冷却を確実に行うことができる。さらに、空気通路（100）が予め形成された内外二重構造のケースを用いることとしたため、床上や棚上等の様々な設置箇所に設置することが可能となる。
【００７３】
また、本空調システム（10）によれば、内側ケース部（21）に収容された培地の下方から上方に亘って培地を取り囲むように空気通路（100）を形成したため、イチゴの苗（30）の生長点（31）だけでなく培地をも調和空気によって加熱又は冷却することができる。
【００７４】
また、本空調システム（10）では、各外側ケース部（22）を、上面に開口が形成された箱状のケース本体（23）と挿通穴（24a）が形成されて上記開口を覆うフィルム部材（24）とによって構成することとしている。そのため、挿通穴（24a）が形成された外側ケース部（22）を容易に構成することができる。また、フィルム部材（24）の配置を調整することにより、挿通穴（24a）の位置を調整することが可能となる。
【００７５】
また、本空調システム（10）では、複数の内外二重構造のケース（12a,12b,12c,12d）を相隣るケース（12a,12b）（12b,12c）（12c,12d）の空気通路（100）どうしが連通するように連結することとしている。そのため、空気調和装置１台で複数のケース（12a,12b,12c,12d）の空気通路（100）に調和空気を導入することができる。また、このように複数のケース（12a,12b,12c,12d）を連結するだけで、培地の長さを容易に変更することができる。
【００７６】
また、本空調システム（10）では、各ケース（12a,12b,12c,12d）に、内側ケース部（21）の内部の排水を上記外側ケース部（22）の外部へ導く排水管（41）を設けている。そのため、容易な構成により、内側ケース部（21）に収容された培地の排水を行うことができる。
【００７７】
《発明の実施形態２》
実施形態２は、実施形態１の空調システム（10）のケースユニット（12）の構成を一部変更したものである。具体的には、図５〜図８に示すように、実施形態２では、第１〜第４ケース（12a〜12d）の側方空間（S12）は、内側ケース部（21）の長手方向の両側方において幅方向に延びる第３側方空間（S12c）と第４側方空間（S12d）とによって構成されている。そして、実施形態２では、上方空間（S11）と第３側方空間（S12c）及び第４側方空間（S12d）とがそれぞれ連通し、第３側方空間（S12c）及び第４側方空間（S12d）と下方空間（S13）とがそれぞれ連通している。
【００７８】
また、実施形態２においても、内部空間（S1）には、調和空気を流通させて挿通穴（24a）に導く空気通路（100）が形成されている。実施形態２においても、空気通路（100）は、内部空間（S1）全体によって構成されている。つまり、空気通路（100）は、内部空間（S1）の下方空間（S13）から上方空間（S11）に亘って内側ケース部（21）に収容された培地を取り囲むように形成されている。このような構成により、導入口（23a）から各ケース（12a〜12d）の内部空間（S1）に導入された調和空気は下方空間（S13）を導出口（23b）に向かって長手方向に流れる一方、その一部は下方空間（S13）から第３側方空間（S12c）と第４側方空間（S12d）とを通過して上方空間（S11）に至り、挿通穴（24a）から吹き出される。
【００７９】
その他の構成及び作用は実施形態１と同様であるため説明を省略する。また、このような実施形態２の空調システム（10）によっても実施形態１と同様の効果を奏することができる。
【００８０】
《発明の実施形態３》
実施形態３は、実施形態１の空調システム（10）のケースユニット（12）の構成を一部変更したものである。具体的には、図９〜図１１に示すように、実施形態３では、第１〜第４ケース（12a〜12d）のそれぞれの下方空間（S13）に、該下方空間（S13）を幅方向に仕切る仕切部材（25）が設けられている。
【００８１】
上記仕切部材（25）は、鉛直方向且つ長手方向に延びる仕切板（25a）によって構成されている。該仕切板（25a）は、上端が内側ケース部（21）の底板に固定されると共に下端が外側ケース部（22）の底板に固定されている。また、第１〜第３ケース（12a,12b,12c）の各仕切板（25a）は、各下方空間（S13）の長手方向の一端から他端に亘って形成されている。第４ケース（12d）の仕切板（25a）は、下方空間（S13）の長手方向の第３ケース（12c）側の一端から他端に向かって延び、他端の手前まで延びている。
【００８２】
実施形態３では、このような各第１〜第４ケース（12a〜12d）の下方空間（S13）に設けられた仕切板（25a）によって、各下方空間（S13）が第１側方空間（S12a）側の第１下方空間（S13a）と第２側方空間（S12b）側の第２下方空間（S13b）とに仕切られている。
【００８３】
また、実施形態３では、外側ケース部（22）のケース本体（23）の長手方向の一端部には、導入口（23a）と第２導出口（23c）とが形成され、長手方向の他端部には、導出口（23b）と第２導入口（23d）とが形成されている。実施形態３では、第１ケース（12a）には第２導出口（23c）が形成されず、第４ケース（12d）には導出口（23b）と第２導入口（23d）とが形成されていないが、第１ケース（12a）に第２導出口（23c）を形成し、第４ケース（12d）に導出口（23b）と第２導入口（23d）とを形成して、それぞれを閉塞部材によって閉塞することとしてもよい。
【００８４】
また、実施形態３では、上方空間（S11）と第１側方空間（S12a）及び第２側方空間（S12b）とがそれぞれ連通し、第１側方空間（S12a）と第１下方空間（S13a）とが連通し、第２側方空間（S12b）と第２下方空間（S13b）とが連通している。また、上記導入口（23a）及び上記導出口（23b）は、第１下方空間（S13a）において開口するように形成され、上記第２導入口（23d）及び上記第２導出口（23c）は、第２下方空間（S13b）において開口するように形成されている。
【００８５】
このような構成により、実施形態３では、ケースユニット（12）には、水平方向且つ長手方向に延びて調和空気が流れる往路（51）及び復路（52）を有する折返し通路（50）が形成される。具体的には、ケースユニット（12）の相隣るケース（12a,12b）（12b,12c）（12c,12d）の第１下方空間（S13a）は、それぞれ導入口（23a）と導出口（23b）とによって連通されて長手方向に延びる１本の空気通路である上記往路（51）を構成する。また、相隣るケース（12a,12b）（12b,12c）（12c,12d）の第２下方空間（S13b）は、それぞれ第２導入口（23d）と第２導出口（23c）とによって連通されて長手方向に延びる１本の空気通路である上記復路（52）を構成する。つまり、各ケース（12a〜12d）の第１下方空間（S13a）は、折返し通路（50）の往路（51）の一部を構成し、各ケース（12a〜12d）の第２下方空間（S13b）は、折返し通路（50）の復路（52）を構成している。
【００８６】
また、実施形態３においても、内部空間（S1）には、調和空気を流通させて挿通穴（24a）に導く空気通路（100）が形成されている。実施形態３においても、空気通路（100）は、内部空間（S1）全体によって構成されている。つまり、空気通路（100）は、内部空間（S1）の下方空間（S13）から上方空間（S11）に亘って内側ケース部（21）に収容された培地を取り囲むように形成されている。また、空気通路（100）は、仕切部材（25）によって、折返し通路（50）の往路（51）の一部を構成する第１下方空間（S13a）の調和空気が第１側方空間（S12a）を介して上方空間（S11）に導かれ且つ復路（52）の一部を構成する第２下方空間（S13b）の調和空気が第２側方空間（S12b）を介して上方空間（S11）に導かれるように形成されている。
【００８７】
このような構成により、第１ケース（12a）の導入口（23a）から内部空間（S1）に導入された調和空気は、まず、折返し通路（50）の往路（51）を流れる。具体的には、第１下方空間（S13a）を長手方向に流れて導出口（23b）及び第２ケース（12b）の導入口（23a）を介して該第２ケース（12b）の第１下方空間（S13a）に導入される。該第２ケース（12b）の第１下方空間（S13a）に導入された調和空気は、該第１下方空間（S13a）を長手方向に流れて導出口（23b）及び第３ケース（12c）の導入口（23a）を介して該第３ケース（12c）の第１下方空間（S13a）に導入される。そして、第３ケース（12c）の第１下方空間（S13a）に導入された調和空気は、該第１下方空間（S13a）を長手方向に流れて導出口（23b）及び第４ケース（12d）の導入口（23a）を介して該第４ケース（12d）の第１下方空間（S13a）に導入される。第４ケース（12d）の第１下方空間（S13a）に導入された調和空気は、該第１下方空間（S13a）を長手方向に流れ、端部まで到達すると折り返して折返し通路（50）の復路（52）に流入する。
【００８８】
折返し通路（50）の復路（52）に流入した調和空気は、第４ケース（12d）の第２下方空間（S13b）を長手方向に流れ、第２導出口（23c）及び第３ケース（12c）の第２導入口（23d）を介して該第３ケース（12c）の第２下方空間（S13b）に導入される。第３ケース（12c）の第２下方空間（S13b）に導入された調和空気は、該第２下方空間（S13b）を長手方向に流れ、第２導出口（23c）及び第２ケース（12b）の第２導入口（23d）を介して該第２ケース（12b）の第２下方空間（S13b）に導入される。第２ケース（12b）の第２下方空間（S13b）に導入された調和空気は、該第２下方空間（S13b）を長手方向に流れ、第２導出口（23c）及び第１ケース（12a）の第２導入口（23d）を介して該第１ケース（12a）の第２下方空間（S13b）に導入される。第１ケース（12a）の第２下方空間（S13b）に導入された調和空気は、第２下方空間（S13b）を長手方向に流れる。
【００８９】
一方、第１〜第４ケース（12a〜12d）において、第１下方空間（S13a）を長手方向に流れる調和空気の一部は、各内部空間（S1）に形成された空気通路（100）を流れて複数の挿通穴（24a）のそれぞれに導かれる。具体的には、第１下方空間（S13a）を長手方向に流れる調和空気の一部は、第１下方空間（S13a）から第１側方空間（S12a）を通過して上方空間（S11）に至り、複数の挿通穴（24a）のそれぞれから吹き出される。また、第１〜第４ケース（12a〜12d）において、第１下方空間（S13a）を長手方向に流れる調和空気の一部は、各内部空間（S1）に形成された空気通路（100）を流れて複数の挿通穴（24a）のそれぞれに導かれる。一方、第２下方空間（S13b）を長手方向に流れる調和空気の一部は、第２下方空間（S13b）から第２側方空間（S12b）を通過して上方空間（S11）に至り、複数の挿通穴（24a）のそれぞれから吹き出される。
【００９０】
このように、調和空気が、内部空間（S1）の下方空間（S13）から上方空間（S11）に亘って内側ケース部（21）に収容された培地を取り囲むように形成された空気通路（100）を通過することにより、内側ケース部（21）内の培地が加熱又は冷却される。また、調和空気が、空気通路（100）を通過して複数の挿通穴（24a）のそれぞれからビニルハウス（1）内に吹き出されることにより、調和空気が該複数の挿通穴（24a）に挿通されたイチゴの苗（30）の生長点（クラウン部）（31）の周囲を必ず通過するため、該生長点（31）が調和空気によって加熱又は冷却される。
【００９１】
また、実施形態３では、上述のように、各ケース（12a〜12d）の第１下方空間（S13a）が折返し通路（50）の往路（51）の一部を構成し、各ケース（12a〜12d）の第２下方空間（S13b）が折返し通路（50）の復路（52）の一部を構成している。そのため、各ケース（12a〜12d）の内部空間（S1）では、第１下方空間（S13a）を流れる往路（51）の調和空気が第１側方空間（S12a）を介して上方空間（S11）に供給され、第２下方空間（S13b）を流れる復路（52）の調和空気が第２側方空間（S12b）を介して上方空間（S11）に供給される。
【００９２】
ここで、例えば、調和空気が加熱用の高温の空気である場合、折返し通路（50）を流れる空気は下流側ほど温度が低くなる。そのため、長手方向の一方側、例えば、図９の左右方向右側に向かうほど、第１下方空間（S13a）及び第１側方空間（S12a）の調和空気は低くなる一方、第２下方空間（S13b）及び第２側方空間（S12b）の調和空気は高くなる。逆に、例えば、調和空気が冷却用の低温の空気である場合、折返し通路（50）を流れる空気は下流側ほど温度が低く高くなる。そのため、長手方向の一方側、例えば、図９の左右方向右側に向かうほど、第１下方空間（S13a）及び第１側方空間（S12a）の調和空気は高くなる一方、第２下方空間（S13b）及び第２側方空間（S12b）の調和空気は低くなる。つまり、第１側方空間（S12a）と第２側方空間（S12b）とにおける調和空気の長手方向の温度勾配は逆向きとなる。このような長手方向において逆向きの温度勾配の第１側方空間（S12a）の調和空気と第２側方空間（S12b）の調和空気とが上方空間（S11）において混ざり合うことで、上方空間（S11）の調和空気の長手方向における温度差が生じなくなる。つまり、長手方向に複数形成された挿通穴（24a）を通過する調和空気の温度が略等しくなるため、複数のイチゴの苗（30）の生長点（31）が略等しい温度の空気によって加熱又は冷却されることとなる。
【００９３】
−実施形態３の効果−
また、本空調システム（10）によれば、各ケース（12a,12b,12c,12d）の下方空間（S13）に仕切部材（25）を設けて幅方向に第１下方空間（S13a）と第２下方空間（S13b）とに仕切り、第１下方空間（S13a）を流れる折返し通路（50）の往路（51）の調和空気と第２下方空間（S13b）を流れる復路（52）の調和空気とが、それぞれ内側ケース部（21）の別個の側方空間（第１側方空間（S12a）、第２側方空間（S12b））を通過して上方空間（S11）で混ざり合うように空気通路（100）を形成した。そのため、上方空間（S11）の調和空気の長手方向における温度差が生じなくなるようにすることができる。従って、複数のイチゴの苗（30）の生長点（31）を略等しい温度の空気によって加熱又は冷却することができる。
【００９４】
《発明の実施形態４》
実施形態４は、実施形態１の空調システム（10）のケースユニット（12）の構成を一部変更したものである。具体的には、図１２〜図１６に示すように、実施形態４では、第１〜第４ケース（12a〜12d）のそれぞれの内部空間（S1）に、折返し通路（50）の一部と空気通路（100）とを形成する通路形成部材（26）が設けられている。
【００９５】
上記通路形成部材（26）は、複数の区画板（26a）と、仕切板（26b）と、複数の閉塞板（26c）とを有している。
【００９６】
複数の区画板（26a）は、各内部空間（S1）において、側方空間（S12）（第１側方空間（S12a）、第２側方空間（S12b））と下方空間（S13）の上層部とからなる中層空間を長手方向において複数に区画している。各区画板（26a）は、内側ケース部（21）の上端から下端よりも下方に亘って形成されている。本実施形態では、第１〜第３ケース（12a,12b,12c）の中層空間はそれぞれ５枚の区画板（26a）によって６つに区画され、第４ケース（12d）の中層空間は４枚の区画板（26a）によって５つに区画されている。
【００９７】
上記仕切板（26b）は、各内部空間（S1）において、下方空間（S13）の上記区画板（26a）の下方の下層空間を、第１側方空間（S12a）側の第１下層空間（S13c）と第２側方空間（S12b）側の第２下層空間（S13d）とに仕切っている。各仕切板（26b）は、鉛直方向且つ長手方向に延びている。また、第１〜第３ケース（12a,12b,12c）の各仕切板（26b）は、各下層空間の長手方向の一端から他端に亘って形成されている。第４ケース（12d）の仕切板（26b）は、下層空間の長手方向の第３ケース（12c）側の一端から他端に向かって延び、他端の手前まで延びている。
【００９８】
複数の閉塞板（26c）は、各内部空間（S1）において、複数の区画板（26a）のそれぞれの間において、第１下層空間（S13c）の上端又は第２下層空間（S13d）の上端を閉塞している。具体的には、閉塞板（26c）は、各ケース（12a〜12d）の長手方向に関して、第１下層空間（S13c）の上端と第２下層空間（S13d）の上端とを交互に閉塞するように設けられている。
【００９９】
また、実施形態４では、外側ケース部（22）のケース本体（23）の長手方向の一端部には、導入口（23a）と第２導出口（23c）とが形成され、長手方向の他端部には、導出口（23b）と第２導入口（23d）とが形成されている。実施形態４では、第１ケース（12a）には第２導出口（23c）が形成されず、第４ケース（12d）には導出口（23b）と第２導入口（23d）とが形成されていないが、第１ケース（12a）に第２導出口（23c）を形成し、第４ケース（12d）に導出口（23b）と第２導入口（23d）とを形成して、それぞれを閉塞部材によって閉塞することとしてもよい。
【０１００】
また、実施形態４では、複数の区画板（26a）によって長手方向に複数に区画された中層空間（側方空間（S12）と下方空間（S13）の上層部）のそれぞれの区画は、上方空間（S11）と連通すると共に、第１下層空間（S13c）及び第２下層空間（S13d）の一方と連通する。また、上記導入口（23a）及び上記導出口（23b）は、第１下層空間（S13c）において開口するように形成され、上記第２導入口（23d）及び上記第２導出口（23c）は、第２下層空間（S13d）において開口するように形成されている。
【０１０１】
このような構成により、実施形態４では、ケースユニット（12）には、水平方向且つ長手方向に延びて調和空気が流れる往路（51）及び復路（52）を有する折返し通路（50）が形成される。具体的には、ケースユニット（12）の相隣るケース（12a,12b）（12b,12c）（12c,12d）の第１下層空間（S13c）は、それぞれ導入口（23a）と導出口（23b）とによって連通されて長手方向に延びる１本の空気通路である上記往路（51）を構成する。また、相隣るケース（12a,12b）（12b,12c）（12c,12d）の第２下層空間（S13d）は、それぞれ第２導入口（23d）と第２導出口（23c）とによって連通されて長手方向に延びる１本の空気通路である上記復路（52）を構成する。つまり、各ケース（12a〜12d）の第１下層空間（S13c）は、折返し通路（50）の往路（51）の一部を構成し、各ケース（12a〜12d）の第２下層空間（S13d）は、折返し通路（50）の復路（52）を構成している。
【０１０２】
また、実施形態４においても、内部空間（S1）には、調和空気を流通させて挿通穴（24a）に導く空気通路（100）が形成されている。実施形態４においても、空気通路（100）は、内部空間（S1）全体によって構成されている。つまり、空気通路（100）は、内部空間（S1）の下方空間（S13）から上方空間（S11）に亘って内側ケース部（21）に収容された培地を取り囲むように形成されている。また、空気通路（100）は、通路形成部材(26)によって、折返し通路（50）の往路（51）及び復路（52）の少なくとも一部をそれぞれ流れる空気が長手方向において交互に側方空間（S12）を介して上方空間（S11）に導かれるように形成されている。
【０１０３】
このような構成により、第１ケース（12a）の導入口（23a）から内部空間（S1）に導入された調和空気は、まず、折返し通路（50）の往路（51）を流れる。具体的には、第１下層空間（S13c）を長手方向に流れて導出口（23b）及び第２ケース（12b）の導入口（23a）を介して該第２ケース（12b）の第１下層空間（S13c）に導入される。該第２ケース（12b）の第１下層空間（S13c）に導入された調和空気は、該第１下層空間（S13c）を長手方向に流れて導出口（23b）及び第３ケース（12c）の導入口（23a）を介して該第３ケース（12c）の第１下層空間（S13c）に導入される。そして、第３ケース（12c）の第１下層空間（S13c）に導入された調和空気は、該第１下層空間（S13c）を長手方向に流れて導出口（23b）及び第４ケース（12d）の導入口（23a）を介して該第４ケース（12d）の第１下層空間（S13c）に導入される。第４ケース（12d）の第１下層空間（S13c）に導入された調和空気は、該第１下層空間（S13c）を長手方向に流れ、端部まで到達すると折り返して折返し通路（50）の復路（52）に流入する。
【０１０４】
折返し通路（50）の復路（52）に流入した調和空気は、第４ケース（12d）の第２下層空間（S13d）を長手方向に流れ、第２導出口（23c）及び第３ケース（12c）の第２導入口（23d）を介して該第３ケース（12c）の第２下層空間（S13d）に導入される。第３ケース（12c）の第２下層空間（S13d）に導入された調和空気は、該第２下層空間（S13d）を長手方向に流れ、第２導出口（23c）及び第２ケース（12b）の第２導入口（23d）を介して該第２ケース（12b）の第２下層空間（S13d）に導入される。第２ケース（12b）の第２下層空間（S13d）に導入された調和空気は、該第２下層空間（S13d）を長手方向に流れ、第２導出口（23c）及び第１ケース（12a）の第２導入口（23d）を介して該第１ケース（12a）の第２下層空間（S13d）に導入される。第１ケース（12a）の第２下層空間（S13d）に導入された調和空気は、第２下層空間（S13d）を長手方向に流れる。
【０１０５】
一方、第１〜第４ケース（12a〜12d）において、第１下層空間（S13c）及び第２下層空間（S13d）のそれぞれを長手方向に流れる調和空気の一部は、各内部空間（S1）に形成された空気通路（100）を流れて複数の挿通穴（24a）のそれぞれに導かれる。具体的には、第１下層空間（S13c）を長手方向に流れる調和空気の一部は、第１下層空間（S13c）から中層空間（側方空間（S12）と下方空間（S13）の上層部）を通過して上方空間（S11）に至り、複数の挿通穴（24a）のそれぞれから吹き出される。また、第２下層空間（S13d）を長手方向に流れる調和空気の一部は、第２下層空間（S13d）から中層空間を通過して上方空間（S11）に至り、複数の挿通穴（24a）のそれぞれから吹き出される。
【０１０６】
このように、調和空気が、内部空間（S1）の下方空間（S13）から上方空間（S11）に亘って内側ケース部（21）に収容された培地を取り囲むように形成された空気通路（100）を通過することにより、内側ケース部（21）内の培地が加熱又は冷却される。また、調和空気が、空気通路（100）を通過して複数の挿通穴（24a）のそれぞれからビニルハウス（1）内に吹き出されることにより、調和空気が該複数の挿通穴（24a）に挿通されたイチゴの苗（30）の生長点（クラウン部）（31）の周囲を必ず通過するため、該生長点（31）が調和空気によって加熱又は冷却される。
【０１０７】
また、実施形態４では、各ケース（12a〜12d）では、通路形成部材（26）によって、下方空間（S13）に形成された折返し通路（50）の往路（51）の調和空気と復路（52）の調和空気とが長手方向において交互に側方空間（S12）を介して上方空間（S11）に導かれる。そして、長手方向に交互に側方空間（S12）に流入した折返し通路（50）の往路（51）の調和空気と復路（52）の調和空気とが上方空間（S11）において混ざり合う。
【０１０８】
ここで、例えば、調和空気が加熱用の高温の空気である場合、折返し通路（50）の調和空気は下流側ほど温度が低くなる。つまり、復路（52）の調和空気は往路（51）の調和空気よりも温度が低くなる。一方、調和空気が冷却用の低温の空気である場合、折返し通路（50）の調和空気は下流側ほど温度が高くなる。つまり、復路（52）の調和空気は往路（51）の調和空気よりも温度が高くなる。そのため、上述のように上方空間（S11）に長手方向に交互に往路（51）の調和空気と復路（52）の調和空気とが供給されることにより、上方空間（S11）には、長手方向に交互に高温の空気と低温の空気とが供給されることとなる。そして、このような温度の異なる往路（51）の調和空気と復路（52）の調和空気とが上方空間（S11）において混ざり合うことで、上方空間（S11）の調和空気の長手方向における温度差が生じなくなる。つまり、長手方向に複数形成された挿通穴（24a）を通過する調和空気の温度が略等しくなる。
【０１０９】
−実施形態４の効果−
また、本空調システム（10）によれば、各ケース（12a,12b,12c,12d）に折返し通路（50）の一部を形成すると共に、折返し通路（50）の往路（51）及び復路（52）を流れる空気が長手方向において交互に側方空間（S12）を介して上方空間（S11）に導かれるように構成したため、上方空間（S11）の調和空気の長手方向における温度差が生じないようにすることができる。従って、複数のイチゴの苗（30）の生長点（31）を略等しい温度の空気によって加熱又は冷却することができる。
【０１１０】
《発明の実施形態５》
実施形態５は、実施形態１の空調システム（10）のケースユニット（12）の構成を一部変更したものである。
【０１１１】
具体的には、図１７〜図１９に示すように、実施形態５では、第１〜第４ケース（12a〜12d）のそれぞれの上方空間（S11）と側方空間（S12）との間に、内部空間（S1）を上下に仕切る仕切板（27）が設けられている。該仕切板（27）によって各内部空間（S1）は、上方空間（S11）からなる上側空間と側方空間（S12）及び下方空間（S13）からなる下側空間とに仕切られる。
【０１１２】
また、実施形態５では、各外側ケース部（22）のケース本体（23）の長手方向の一端部には、導入口（23a）と流入口（23e）とが形成され、長手方向の他端部には、導出口（23b）と流出口（23f）とが形成されている。また、導入口（23a）及び導出口（23b）は、上方空間（S11）において開口するように形成され、流入口（23e）及び流出口（23f）は、下方空間（S13）において開口するように形成されている。また、第１ケース（12a）の導入口（23a）には、一端が空気調和装置（11）の吹出口に接続されたダクト（16）の他端が接続され、第１ケース（12a）の流入口（23e）には、一端が上記空気調和装置（11）とは異なる第２空気調和装置（18）の吹出口に接続されたダクト（17）の他端が接続されている。これにより、空気調和装置（11）は、ビニルハウス（1）の内部の空気を吸い込み、加熱又は冷却した後、ダクト（16）を介して第１ケース（12a）の上方空間（S11）からなる上側空間内に加熱空気又は冷却空気を吹き出すように構成されている。一方、第２空気調和装置（18）は、ビニルハウス（1）の内部の空気を吸い込み、加熱又は冷却した後、ダクト（17）を介して第１ケース（12a）の側方空間（S12）及び下方空間（S13）からなる下側空間内に加熱空気又は冷却空気を吹き出すように構成されている。
【０１１３】
実施形態５においても、各ケース（12a〜12d）の内部空間（S1）には、調和空気を流通させて挿通穴（24a）に導く空気通路（100）が形成されている。実施形態５では、上方空間（S11）全体が調和空気を流通させて挿通穴（24a）に導く空気通路（100）を構成している。このような構成により、導入口（23a）から各ケース（12a〜12d）の上方空間（S11）に導入された調和空気は上方空間（S11）を導出口（23b）に向かって長手方向に流れる一方、その一部は挿通穴（24a）から吹き出される。
【０１１４】
また、実施形態５では、各ケース（12a〜12d）の内部空間（S1）に、上記空気通路（100）と異なる空気（流体）が流れる第２空気通路（流体通路）（101）が形成されている。実施形態５では、側方空間（S12）及び下方空間（S13）からなる下側空間全体が第２空気通路（101）を構成している。このような構成により、導入口（23a）から各ケース（12a〜12d）の内部空間（S1）に導入された調和空気は下方空間（S13）を導出口（23b）に向かって長手方向に流れる一方、その一部は下方空間（S13）から第１側方空間（S12a）と第２側方空間（S12b）にも流入する。
【０１１５】
また、各ケース（12a〜12d）は、相隣るケース（12a,12b）（12b,12c）（12c,12d）の空気通路（100）どうし及び第２空気通路（101）どうしが連通するように連結されている。具体的には、相隣るケース（12a,12b）（12b,12c）（12c,12d）の導出口（23b）と導入口（23a）とがそれぞれ連結され、流出口（23f）と流入口（23e）とがそれぞれ接続されている。
【０１１６】
−各種動作−
上記空気調和装置（11）を稼働させると、ビニルハウス（1）内の空気が空気調和装置（11）内に吸い込まれ、内部において加熱又は冷却された後、ダクト（16）を介してケースユニット（12）の空気調和装置（11）に最も近い第１ケース（12a）の上方空間（S11）に導入される。第１ケース（12a）の導入口（23a）から上方空間（S11）に導入された調和空気は、長手方向に流れて導出口（23b）及び第２ケース（12b）の導入口（23a）を介して該第２ケース（12b）の上方空間（S11）に導入される。そして、第２ケース（12b）の上方空間（S11）に導入された調和空気は、長手方向に流れて導出口（23b）及び第３ケース（12c）の導入口（23a）を介して該第３ケース（12c）の上方空間（S11）に導入される。そして、第３ケース（12c）の上方空間（S11）に導入された調和空気は、長手方向に流れて導出口（23b）及び第４ケース（12d）の導入口（23a）を介して該第４ケース（12d）の上方空間（S11）に導入される。第４ケース（12d）の上方空間（S11）に導入された調和空気は長手方向に流れる。一方、第１〜第４ケース（12a〜12d）において、上方空間（S11）を長手方向に流れる調和空気の一部は、各上方空間（S11）に形成された空気通路（100）を流れて複数の挿通穴（24a）のそれぞれに導かれる。
【０１１７】
上記第２空気調和装置（18）を稼働させると、ビニルハウス（1）内の空気が第２空気調和装置（18）内に吸い込まれ、内部において加熱又は冷却された後、ダクト（17）を介してケースユニット（12）の空気調和装置（11）に最も近い第１ケース（12a）の下方空間（S13）に導入される。
【０１１８】
第１ケース（12a）の導入口（23a）から下方空間（S13）に導入された調和空気は長手方向に流れて導出口（23b）及び第２ケース（12b）の導入口（23a）を介して該第２ケース（12b）の下方空間（S13）に導入される。そして、第２ケース（12b）の下方空間（S13）に導入された調和空気は長手方向に流れて導出口（23b）及び第３ケース（12c）の導入口（23a）を介して該第３ケース（12c）の下方空間（S13）に導入される。そして、第３ケース（12c）の下方空間（S13）に導入された調和空気は長手方向に流れて導出口（23b）及び第４ケース（12d）の導入口（23a）を介して該第４ケース（12d）の下方空間（S13）に導入される。第４ケース（12d）から内部空間（S1）に導入された調和空気は下方空間（S13）を長手方向に流れる。また、第１〜第４ケース（12a〜12d）において、下方空間（S13）を長手方向に流れる調和空気の一部は、下方空間（S13）から第１側方空間（S12a）及び第２側方空間（S12b）のそれぞれに流入する。
【０１１９】
このように、空気調和装置（11）による調和空気が、空気通路（100）を通過して複数の挿通穴（24a）のそれぞれからビニルハウス（1）内に吹き出されることにより、調和空気が該複数の挿通穴（24a）に挿通されたイチゴの苗（30）の生長点（クラウン部）（31）の周囲を必ず通過するため、該生長点（31）が調和空気によって加熱又は冷却される。また、第２空気調和装置（18）による調和空気が、内部空間（S1）の下方空間（S13）から側方空間（S12）に亘って内側ケース部（21）に収容された培地を取り囲むように流れることにより、内側ケース部（21）内の培地が加熱又は冷却される。
【０１２０】
その他の構成及び作用は実施形態１と同様であるため説明を省略する。また、このような実施形態５の空調システム（10）によれば、イチゴの苗（30）の生長点（31）と培地とを異なる温度の流体によってそれぞれ加熱又は冷却することができる。つまり、イチゴの苗（30）の生長点（31）と培地とをそれぞれ適正な温度で加熱又は冷却することが可能となる。
【０１２１】
なお、本実施形態５では、側方空間（S12）及び下方空間（S13）には、第２空気調和装置（18）で加熱又は冷却された空気を流すこととしていたが、側方空間（S12）及び下方空間（S13）に流す流体は空気に限られない。例えば、加熱又は冷却された水等の液体を流すこととしてもよい。このような場合であっても、上述と同様の効果を奏することができる。
【０１２２】
《発明の実施形態６》
実施形態６は、実施形態１の空調システム（10）のケースユニット（12）の排水構造を変更したものである。具体的には、図２０及び図２１に示すように、実施形態６では、第１〜第４ケース（12a〜12d）のそれぞれに排水管（41）を設けるのではなく、各内側ケース部（21）の底部に排水口（42）を形成すると共に、各排水口（42）からの排水を長手方向の一端部に導く排水路（43）が形成されている。本実施形態６では、排水路（43）は、断面が半円形の板状部材によって構成され、第１ケース（12a）から第４ケース（12d）に亘り、第１ケース（12a）側が上流側となって第４ケース（12d）側が下流側となるように傾けて設けられている。なお、排水路（43）の断面形状は、半円形に限られず、排水を導くことができる形状であればいかなる形状であってもよい。
【０１２３】
このような構成により、各ケース（12a〜12d）の排水は、各排水口（42）から排水路（43）に流入し、排水路（43）を第１ケース（12a）側から第４ケース（12d）側へ流れて第４ケース（12d）側の端部に集められる。つまり、上記構成によれば、各ケース（12a〜12d）の排水を１箇所において回収することができる。そのため、除菌等を行って排水を浄化することにより、培養液等に再利用することが可能となる。
【０１２４】
《発明の実施形態７》
実施形態７は、実施形態１の空調システム（10）のケースユニット（12）の排水構造を変更したものである。具体的には、図２２及び図２３に示すように、実施形態７では、第１〜第４ケース（12a〜12d）のそれぞれに排水管（41）を設けるのではなく、各内側ケース部（21）の底部に排水口（42）を形成すると共に、各排水口（42）からの排水を長手方向の一端部に導く排水路（43）が形成されている。実施形態７では、ケースユニット（12）の底板上面（各外側ケース部（22）の底板上面）が長手方向の一端側（第１ケース（12a）側）よりも他端側（第４ケース（12d）側）が低くなるように傾斜し、その一端側（第４ケース（12d）側）に排水を外部へ排出するための排出部（44）が設けられている。実施形態７では、排水路（43）は、ケースユニット（12）の底板上面と排出部（44）とによって構成されている。
【０１２５】
このような構成により、各ケース（12a〜12d）の排水は、各排水口（42）から各下方空間（S13）に落下し、排水路（43）を構成する各外側ケース部（22）の底板上面を第１ケース（12a）側から第４ケース（12d）側へ流れて排出部（44）を介して外部へ排出される。つまり、上記構成によれば、各ケース（12a〜12d）の排水を１箇所において回収することができる。そのため、除菌等を行って排水を浄化することにより、培養液等に再利用することが可能となる。
【０１２６】
《発明の実施形態８》
実施形態８は、実施形態３の空調システム（10）のケースユニット（12）の構成を変更したものである。具体的には、図２４及び図２５に示すように、実施形態８では、第１〜第４ケース（12a〜12d）のそれぞれの下方空間（S13）を幅方向に仕切る仕切部材（25）が、２つの仕切板（25a,25b）によって構成されている。また、実施形態３の排水管（41）の代わりに、各ケース（12a〜12d）には、内側ケース部（21）の底部に排水口（42）が形成されている。各排水口（42）は、２つの仕切板（25a,25b）の間において開口するように形成されている。つまり、各ケース（12a〜12d）において、２つの仕切板（25a,25b）の間の空間は、内側ケース部（21）内の排水が流入する排水空間（S20）に構成されている。そして、各ケース（12a〜12d）は、相隣るケース（12a,12b）（12b,12c）（12c,12d）の排水空間（S20）どうしが連通するように連結され、連結された排水空間（S20）の底面によって、各排水口（42）から流出した排水を長手方向の一端部に導く排水路（43）が構成されている。実施形態８では、排水路（43）（排水空間（S20）の底面）は、各排水口（42）から流出した排水が第１ケース（12a）側から第４ケース（12d）側に流れて第４ケース（12d）側の端部から流出するように傾斜している。また、排水路（43）（排水空間（S20）の底面）の流出端部、即ち、第４ケース（12d）側の端部には、排出口（45）が形成されている。
【０１２７】
このような構成により、各ケース（12a〜12d）の排水は、各排水口（42）から各排水空間（S20）に落下し、各排水空間（S20）の底面によって構成された排水路（43）を第１ケース（12a）側から第４ケース（12d）側へ流れて排出口（45）を介して外部へ排出される。つまり、上記構成によれば、各ケース（12a〜12d）の排水を１箇所において回収することができる。そのため、除菌等を行って排水を浄化することにより、培養液等に再利用することが可能となる。
【０１２８】
《発明の実施形態９》
実施形態９は、実施形態３の空調システム（10）のケースユニット（12）の構成を一部変更したものである。具体的には、図２６に示すように、実施形態９では、各ケース（12a〜12d）の内側ケース部（21）が外側ケース部（22）から分離可能に構成されている。このように内側ケース部（21）を分離可能に構成することにより、内側ケース部（21）と外側ケース部（22）との間の内部空間（S1）に侵入した土壌、水、葉、葉弁、埃等を容易に除去することができる。
【０１２９】
《発明の実施形態１０》
実施形態１０は、実施形態１の空調システム（10）のケースユニット（12）の支持構造を変更したものである。具体的には、図２７に示すように、実施形態１０では、ケースユニット（12）は、台（14）によって設置面よりも上方において支持されている。ケースユニット（12）が複数のケース（12a,21b,12c,12d）によって構成されているため、このような簡易な台（14）の上にも設置することができ、支持部材を変更することによって容易に高さを調節することができる。
【０１３０】
《発明の実施形態１１》
実施形態１１は、実施形態１の空調システム（10）のケースユニット（12）の支持構造を変更したものである。具体的には、図２８に示すように、実施形態１１では、ケースユニット（12）は、吊り下げ式の支持部材（15）によって設置面よりも上方において支持されている。吊り下げ式の支持部材（15）は、平行に配置された２本の水平パイプ（15a）と、この２本の水平パイプ（15a）を吊り下げ支持する複数の鉛直パイプ（15b）とによって構成されている。このような吊り下げ式の支持部材（15）によってケースユニット（12）を支持することにより、ケースユニット（12）の下方の空間が空くため、この下方の空間を他の機材の設置スペース等に用いることができ、空間の有効利用が可能となる。
【０１３１】
《発明の実施形態１２》
実施形態１２は、実施形態１の空調システム（10）のケースユニット（12）の支持構造を変更したものである。具体的には、図２９に示すように、実施形態１１では、ケースユニット（12）は、多段式の高設ベンチ（13）によって上下に多段に設置されている。具体的には、高設ベンチ（13）は、平行に配置された２本の水平パイプ（13a）を３組備えると共に、平行に配置された２枚の支持板（13c）を備えている。各水平パイプ（13a）は、２枚の支持板（13c）に架け渡されて支持されている。また、実施形態１２では、最下段に設置されたケースユニット（12）以外のケースユニット（12）の底面に照明器具（28）が取り付けられている。
【０１３２】
このように多段式の高設ベンチ（13）を用いてケースユニット（12）を上下方向に多段に設置することにより、植物工場等における集積度を上げることが可能となる。また、上下に多段に設置されたケースユニット（12）の最下段を除くケースユニット（12）の底面に予め照明器具（28）を取り付けることにより、下方のケースユニット（12）の培地面を上方のケースユニット（12）の照明器具（28）によって照らすことができる。従って、ケースユニット（12）の設置後に改めて照明器具を設置する必要がなく、容易にケースユニット（12）の集積度を上げることができる。
【０１３３】
《発明の実施形態１３》
実施形態１３は、実施形態１１の空調システム（10）のケースユニット（12）の吊り下げ式の支持部材（15）を移動可能に構成したものである。具体的には、図３０に示すように、ケースユニット（12）は、吊り下げ式の支持部材（15）によって吊り下げ支持され、該支持部材（15）の複数の鉛直パイプ（15b）の上端がレールによって移動可能に支持されている。このようにケースユニット（12）を移動可能な吊り下げ式の支持部材（15）によって支持してケースユニット（12）を支持部材（15）ごと移動させることにより、容易に作業者が入るスペースを形成することができる。従って、各ケースユニット（12）の側方に作業者用のスペースを確保する必要がなくなるため、植物工場等における集積度を上げることが可能となる。
【０１３４】
《発明の実施形態１４》
実施形態１４は、実施形態１の空調システム（10）のケースユニット（12）の構成を一部変更したものである。具体的には、図３１及び図３２に示すように、実施形態１４では、第１〜第４ケース（12a〜12d）のそれぞれの下方空間（S13）に、下方空気通路（90）の一部を区画する通路区画部材（60）が設けられている。本実施形態では、通路区画部材（60）は、ケースユニット（12）を長手方向に貫くダクト部材（61）によって構成されている。
【０１３５】
ダクト部材（61）は、一端が第１ケース（12a）の導入口（23a）に接続されてケースユニット（12）の長手方向に延び、各導入口（23a）及び導出口（23b）を通過して、他端が第４ケース（12d）の長手方向の導入口（23a）と反対側の端部付近まで延びている。このような構成により、ダクト部材（61）内には、ケースユニット（12）の長手方向に延びて該長手方向の一端部から空気調和装置（11）の調和空気が導入され、該調和空気を長手方向に流通させる下方空気通路（90）が形成される。本実施形態では、ダクト部材（61）は、樹脂材料（例えば、ビニル樹脂）によって長手方向に亘って径が一定な有底円筒形状に形成されている。これにより、下方空気通路（90）は、通路断面積が長手方向に亘って一様に構成されている。
【０１３６】
また、各通路区画部材（60）には、下方空気通路（90）の調和空気を各下方空間（S13）に吹き出す複数の吹出口（65）が長手方向に間隔を開けて形成されている。各通路区画部材（60）に形成された複数の吹出口（65）は、ダクト部材（61）の長手方向に等間隔に形成されている。また、複数の吹出口（65）は、内部に形成される下方空気通路（90）の調和空気が上方に向かって吹き出されるようにダクト部材（61）の頂上部分に形成されている。
【０１３７】
複数の吹出口（65）は、ダクト部材（61）の第１ケース（12a）側の端部に向かうほど開口面積が大きく、第４ケース（12d）側の端部に向かうほど開口面積が小さくなるように構成されている。即ち、複数の吹出口（65）は、下方空気通路（90）の長手方向において調和空気が導入される導入側端部に向かうほど大きくなるように構成されている。
【０１３８】
このような構成により、第１ケース（12a）の導入口（23a）からダクト部材（61）内に導入された調和空気は、下方空気通路（90）を長手方向に流れ、各吹出口（65）から各ケース（12a,12b,12c,12d）の下方空間（S13）に吹き出される。各下方空間（S13）に吹き出された調和空気は、各ケース（12a,12b,12c,12d）の内部空間（S1）に形成された空気通路（100）を流れて複数の挿通穴（24a）のそれぞれに導かれる。具体的には、各下方空間（S13）に吹き出された調和空気は、下方空間（S13）から第１側方空間（S12a）及び第２側方空間（S12b）のそれぞれを通過して上方空間（S11）に至り、複数の挿通穴（24a）のそれぞれから吹き出される。
【０１３９】
ところで、上述のように、内側ケース部（21）及び外側ケース部（22）が共に平面視において一方に長く形成されている場合、下方空間（S13）の長手方向の一端側から調和空気が導入されると、他端側まで調和空気が到達し難く、下方空間（S13）の長手方向の他端側に対応する位置に植えられたイチゴの苗（30）の生長点（31）に供給される調和空気の量が不足するおそれがある。
【０１４０】
しかしながら、本実施形態では、上述のように、下方空間（S13）に通路区画部材（60）を設けてケースユニット（12）の長手方向に延びる下方空気通路（90）を形成している。そのため、調和空気は、下方空気通路（90）に導入されることにより、ケースユニット（12）の長手方向の奥側まで調和空気が到達すると共に、長手方向に配列された複数の吹出口（65）を介して下方空気通路（90）から下方空間（S13）に満遍なく調和空気が吹き出されることとなる。
【０１４１】
また、上述のようなダクト部材（61）によって形成された下方空気通路（90）では、下流側に向かうほど、調和空気による動圧が低下する一方、静圧が増大する。言い換えると、下方空気通路（90）では、長手方向の導入側端部に向かうほど、動圧が高くなる一方、静圧が低くなる。そのため、複数の吹出口（65）の開口面積が等しいと、下方空気通路（90）の導入側端部付近の吹出口（65）では、下流側端部付近の吹出口（65）に比べて調和空気が吹き出され難くなる。その結果、下方空間（S13）に吹き出される調和空気の吹き出し量は、下方空気通路（90）の下流側端部において多くなる一方、導入側端部に向かうほど少なくなる。このように下方空間（S13）に吹き出される調和空気の吹き出し量に斑が生じると、下方空間（S13）から側方空間（S12）及び上方空間（S11）を介して複数のイチゴの苗（30）の生長点（31）付近に供給される調和空気の風量にも斑が生じてしまう。
【０１４２】
しかしながら、本実施形態では、上述のように、複数の吹出口（65）は、その開口面積が下方空気通路（90）の長手方向において調和空気が導入される導入側端部（第１ケース（12a）側の端部）に向かうほど大きくなるように形成されている。そのため、下方空気通路（90）の長手方向において導入側端部に向かうほど静圧が低くなるが、静圧が低くなるに従って吹出口（65）の開口面積が大きくなる。その結果、各吹出口（65）から吹き出される調和空気の吹き出し量が等しくなり、下方空気通路（90）の長手方向に亘って調和空気の吹き出し量が等しくなる。これにより、下方空間（S13）から第１側方空間（S12a）及び第２側方空間（S12b）を介して上方空間（S11）に供給される調和空気の風量も長手方向に亘って等しくなり、複数のイチゴの苗（30）の生長点（31）付近に略等量の調和空気が供給されることとなる。
【０１４３】
−実施形態１４の効果−
このように、本空調システム（10）によれば、各下方空間（S13）に、ケースユニット（12）の長手方向に延びて調和空気を長手方向に流通させる下方空気通路（90）の少なくとも一部を区画すると共に、複数の吹出口（65）が長手方向に間隔を空けて形成された通路区画部材（60）を設けることとした。これにより、通路区画部材（60）によって区画される下方空気通路（90）を介して調和空気を各下方空間（S13）に満遍なく供給することができる。そのため、下方空間（S13）から内側ケース部（21）の幅方向の両側方に形成された側方空間（S12）及び上方空間（S11）を介して複数のイチゴの苗（30）の生長点（31）付近に満遍なく調和空気を供給することができる。従って、複数のイチゴの苗（30）の生長点（31）を等しく加熱又は冷却することができる。
【０１４４】
また、本空調システム（10）によれば、複数の吹出口（65）の開口面積が下方空気通路（90）の長手方向において導入側端部に向かうほど大きくなるように通路区画部材（60）を構成した。つまり、下方空気通路（90）において静圧が低くなる調和空気の導入側に設けられた吹出口（65）ほど開口面積が大きくなるように通路区画部材（60）を構成することとした。これにより、各吹出口（65）から吹き出される調和空気の吹き出し量を等しくすることができ、下方空気通路（90）から下方空間（S13）へ吹き出される調和空気の吹き出し量を、下方空気通路（90）の長手方向に亘って等しくすることができる。そのため、下方空間（S13）から内側ケース部（21）の幅方向の両側方に形成された側方空間（S12）を介して上方空間（S11）に供給される調和空気の風量も長手方向に亘って等しくすることができる。その結果、複数のイチゴの苗（30）の生長点（31）付近に略等量の調和空気を供給することができるため、複数のイチゴの苗（30）の生長点（31）を等しく加熱又は冷却することができる。
【０１４５】
なお、ダクト部材（61）の材料は、樹脂材料に限られない。ダクト部材（61）は、不織布によって構成されていてもよい。
【０１４６】
《発明の実施形態１５》
実施形態１５は、実施形態１４の空調システム（10）のダクト部材（61）の構成を一部変更したものである。実施形態１５では、ダクト部材（61）に形成された複数の吹出口（65）の開口面積を等しくする一方、複数の吹出口（65）の間隔を変更している。
【０１４７】
具体的には、図３３に示すように、複数の吹出口（65）は、ダクト部材（61）の第１ケース（12a）側の端部に向かうほど間隔が短く、第４ケース（12d）側の端部に向かうほど間隔が大きくなるように配列されている。即ち、複数の吹出口（65）は、下方空気通路（90）の長手方向において調和空気が導入される導入側端部に向かうほど間隔が短くなるように配列されている。
【０１４８】
このような構成により、下方空気通路（90）の長手方向において導入側端部に向かうほど静圧が低くなるが、静圧が低くなるに従って吹出口（65）の間隔が短くなって単位長さ当たりに形成される吹出口（65）の個数が増大する。その結果、下方空気通路（90）の長手方向に亘って調和空気の吹き出し量が等しくなる。従って、本空調システム（10）によれば、実施形態１４と同様に、容易な構成により、下方空間（S13）へ吹き出される調和空気の吹き出し量を下方空気通路（90）の長手方向に亘って等しくすることができ、ひいては、複数のイチゴの苗（30）の生長点（31）を等しく加熱又は冷却することができる。
【０１４９】
《発明の実施形態１６》
実施形態１６は、実施形態１４の空調システム（10）のダクト部材（61）の構成を一部変更したものである。実施形態１６では、ダクト部材（61）に形成された複数の吹出口（65）の開口面積を等しくする一方、ダクト部材（61）の径を変更している。
【０１５０】
具体的には、図３４に示すように、ダクト部材（61）は、第１ケース（12a）側の端部に向かうほど径が大きくなり、第４ケース（12d）側の端部に向かうほど径が小さくなるように形成されている。即ち、各通路区画部材（60）が、下方空気通路（90）の通路断面積が長手方向において導入側端部に向かうほど大きくなるように構成されている。
【０１５１】
このような構成により、下方空気通路（90）の通路断面積が長手方向に亘って一様であると、下方空気通路（90）に導入された調和空気の流速が徐々に低下するが、上述のようにダクト部材（61）を構成することにより、下方空気通路（90）に導入された調和空気の流速が下流側に向かって低下せず、静圧も増大しない。つまり、下方空気通路（90）の長手方向において静圧が一様になる。その結果、各吹出口（65）から吹き出される調和空気の吹き出し量が等しくなり、下方空気通路（90）の長手方向に亘って調和空気の吹き出し量が等しくなる。従って、本空調システム（10）によれば、実施形態１４と同様に、容易な構成により、下方空間（S13）へ吹き出される調和空気の吹き出し量を下方空気通路（90）の長手方向に亘って等しくすることができ、ひいては、複数のイチゴの苗（30）の生長点（31）を等しく加熱又は冷却することができる。
【０１５２】
なお、ダクト部材（61）は、上記のように下流側に向かって段階的に縮径したものに限られず、下流側に向かって連続的に縮径したテーパ形状に形成されたものであってもよい。
【０１５３】
《発明の実施形態１７》
実施形態１７は、実施形態１４の空調システム（10）において、ダクト部材（61）によって構成されていた通路区画部材（60）を、区画板（62）によって構成したものである。
【０１５４】
具体的には、図３５及び図３６に示すように、区画板（62）は、各ケース（12a,12b,12c,12d）の下方空間（S13）の上下方向の中程であって各導入口（23a）及び各導出口（23b）の上方に、外側ケース部（22）のケース本体（23）の底板に平行に設けられている。本実施形態では、区画板（62）は、樹脂材料によって外側ケース部（22）のケース本体（23）と一体に形成されている。そして、各区画板（62）は、その下方に、ケースユニット（12）の長手方向に延びて空気調和装置（11）の調和空気を流通させる下方空気通路（90）の一部を区画している。本実施形態では、下方空気通路（90）は、各区画板（62）の下方の空間が各導入口（23a）及び各導出口（23b）を介して連通されることによって形成されている。
【０１５５】
また、各区画板（62）には、実施形態１４と同様に、下方空気通路（90）の調和空気を各下方空間（S13）に吹き出す複数の吹出口（65）が長手方向に間隔を開けて形成されている。各区画板（62）に形成された複数の吹出口（65）は、下方空気通路（90）の長手方向に等間隔に形成されている。また、複数の吹出口（65）は、実施形態１４と同様に、下方空気通路（90）の第１ケース（12a）側の端部に向かうほど開口面積が大きく、第４ケース（12d）側の端部に向かうほど開口面積が小さくなるように構成されている。即ち、複数の吹出口（65）は、下方空気通路（90）の長手方向において調和空気が導入される導入側端部に向かうほど大きくなるように構成されている。
【０１５６】
このような構成により、第１ケース（12a）の導入口（23a）から下方空気通路（90）に導入された調和空気は、下方空気通路（90）を長手方向に流れ、各吹出口（65）から各ケース（12a,12b,12c,12d）の下方空間（S13）に吹き出される。各下方空間（S13）に吹き出された調和空気は、各ケース（12a,12b,12c,12d）の内部空間（S1）に形成された空気通路（100）を流れて複数の挿通穴（24a）のそれぞれに導かれる。具体的には、各下方空間（S13）に吹き出された調和空気は、下方空間（S13）から第１側方空間（S12a）及び第２側方空間（S12b）のそれぞれを通過して上方空間（S11）に至り、複数の挿通穴（24a）のそれぞれから吹き出される。
【０１５７】
以上のような構成により、本実施形態によっても、実施形態１４と同様の効果を奏することができる。また、本実施形態において、実施形態１５のように、複数の吹出口（65）の開口面積を等しくする一方、配列間隔を変更しても同様に上記効果を奏することができる。
【０１５８】
なお、区画板（62）は、外側ケース部（22）のケース本体（23）と別体に形成されていてもよい。また、区画板（62）は、不織布製の板によって構成されていてもよい。
【０１５９】
《その他の実施形態》
上記各実施形態では、ケースユニット（12）が４つのケース（12a,12b,12c,12d）を有していたが、ケースユニット（12）が有するケースの個数はこれに限られない。例えば、ケースユニット（12）は、ケースを１つだけ有するものであってもよく、ケースを２つ有するものであってもよい。
【０１６０】
上記各実施形態では、フィルム部材（24）の挿通穴（24a）は、直径が５ｃｍ程度の丸穴形状に形成されていたが、挿通穴（24a）の形状及び径はこれに限られない。生長点（31）を挿通可能で空気が流通可能であればいかなるものであってもよい。
【０１６１】
また、上記各実施形態では、外側ケース部（22）を樹脂製のケース本体（23）とフィルム部材（24）とによって構成されていたが、外側ケース部（22）を樹脂製のケース本体（23）と、フィルム部材（24）の挿通穴（24a）と同様の挿通穴が形成された樹脂製の蓋部材とによって構成することとしてもよい。
【０１６２】
また、上記各実施形態では、各ケース（12a〜12d）の培地に複数のイチゴの苗（30）を植えることとして、空調システム（10）をイチゴの栽培用に用いていたが、該空調システム（10）の用途はこれに限られない。例えば、空調システム（10）を、株元に生長点を有するネギ科の植物（ネギ、ニラ等）やナス科の植物の栽培に用いることにより、イチゴの栽培と同様の効果（成長促進効果）を奏することができる。
【０１６３】
また、上記各実施形態では、各ケース（12a〜12d）の培地を土によって構成していたが、培地は土に限られず、ロックウールやバーミキュライト等の無機培地、ヤシ殻やピートモスなどの有機培地、又はそれらの混合物等によって構成することとしてもよい。また、培地は、培養液等の液体によって構成することとしてもよい。
【０１６４】
なお、以上の実施形態は、本質的に好ましい例示であって、本発明、その適用物、あるいはその用途の範囲を制限することを意図するものではない。
【産業上の利用可能性】
【０１６５】
以上説明したように、本発明は、空調システムに関し、特に、植物栽培用の空調システムに有用である。
【符号の説明】
【０１６６】
１０              空調システム
１１              空気調和装置
１２              ケースユニット
１２ａ〜１２ｄ    第１〜第４ケース（ケース）
２１              内側ケース部
２２              外側ケース部
２３              ケース本体
２４              フィルム部材
２４ａ            挿通穴
２５              仕切部材
２６              通路形成部材
２７              仕切板（仕切部材）
３０              イチゴの苗（植物）
３１              生長点
４１              排水管
４２              排水口
４３              排水路
５０              折返し通路
５１              往路
５２              復路
６０              通路区画部材
６１              ダクト部材
６２              区画板
６５              吹出口
９０            下方空気通路
１００              空気通路
１０１              第２空気通路（流体通路）
Ｓ１              内部空間
Ｓ１１              上方空間
Ｓ１２              側方空間
Ｓ１２ａ            第１側方空間
Ｓ１２ｂ            第２側方空間
Ｓ１３              下方空間
Ｓ１３ａ            第１下方空間
Ｓ１３ｂ            第２下方空間
【図１】
2012228241.tif 000003
【図２】
2012228241.tif 000004
【図３】
2012228241.tif 000005
【図４】
2012228241.tif 000006
【図５】
2012228241.tif 000007
【図６】
2012228241.tif 000008
【図７】
2012228241.tif 000009
【図８】
2012228241.tif 000010
【図９】
2012228241.tif 000011
【図１０】
2012228241.tif 000012
【図１１】
2012228241.tif 000013
【図１２】
2012228241.tif 000014
【図１３】
2012228241.tif 000015
【図１４】
2012228241.tif 000016
【図１５】
2012228241.tif 000017
【図１６】
2012228241.tif 000018
【図１７】
2012228241.tif 000019
【図１８】
2012228241.tif 000020
【図１９】
2012228241.tif 000021
【図２０】
2012228241.tif 000022
【図２１】
2012228241.tif 000023
【図２２】
2012228241.tif 000024
【図２３】
2012228241.tif 000025
【図２４】
2012228241.tif 000026
【図２５】
2012228241.tif 000027
【図２６】
2012228241.tif 000028
【図２７】
2012228241.tif 000029
【図２８】
2012228241.tif 000030
【図２９】
2012228241.tif 000031
【図３０】
2012228241.tif 000032
【図３１】
2012228241.tif 000033
【図３２】
2012228241.tif 000034
【図３３】
2012228241.tif 000035
【図３４】
2012228241.tif 000036
【図３５】
2012228241.tif 000037
【図３６】
2012228241.tif 000038